(57)【特許請求の範囲】
【請求項１】
ワイヤレスネットワークを介してワイヤレスフレームを送信する方法であって、
前記ワイヤレスフレームのプリアンブルのＨＥ−ＳＩＧＢフィールド中に第１のデバイスのための第１の送信制御情報を生成することと、前記第１の送信制御情報は、第１のデータ送信周波数範囲を示し、
前記ＨＥ−ＳＩＧＢフィールド中に第２のデバイスのための第２の送信制御情報を生成することと、前記第２の送信制御情報は、第２のデータ送信周波数範囲を示し、
前記ワイヤレスフレームを送信することと、
を備え、ここにおいて、前記送信することは、
第１の周波数範囲で前記第１の送信制御情報の少なくとも一部分を送信するのと同時に、前記第１の周波数範囲と重複しない第２の周波数範囲で前記第２の送信制御情報の少なくとも一部分を送信することと、
前記第１の送信制御情報に従って、前記第１のデータ送信周波数範囲で前記第１のデバイスに第１のデータを送信することと、前記第１のデータ送信周波数範囲は、前記第１の周波数範囲とは異なり、
前記第２の送信制御情報に従って、前記第２のデータ送信周波数範囲で前記第２のデバイスに第２のデータを送信することと、
前記第１のデバイスのための前記第１の送信制御情報を含む前記第１の周波数範囲の指示を前記第１のデバイスにシグナリングすることと、
を備える、方法。
【請求項２】
直交周波数分割多元接続（ＯＦＤＭＡ）を使用して、マルチユーザ通信を実行するために、前記ワイヤレスフレームを生成することをさらに備える、請求項１に記載の方法。
【請求項３】
前記第１のデバイスと前記第２のデバイスとのための共通送信制御情報を生成することをさらに備え、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、請求項１に記載の方法。
【請求項４】
第３のワイヤレスデバイスのための送信パラメータを定義するために、前記第１の送信制御情報を生成することをさらに備える、請求項１に記載の方法。
【請求項５】
前記第１の送信制御情報が前記第１の周波数範囲で送信されることを示す第２のワイヤレスフレームを前記第１のデバイスに送信することをさらに備える、請求項１に記載の方法。
【請求項６】
前記第１の周波数範囲が２０Ｍｈｚ幅であり、前記第２の周波数範囲が２０Ｍｈｚ幅である、請求項１に記載の方法。
【請求項７】
ワイヤレスネットワークからワイヤレスデバイスによってワイヤレスデータを受信する方法であって、
前記ワイヤレスデバイスによって、プリアンブルとデータ部分とを含むワイヤレスフレームを受信することと、前記プリアンブルは、第１の周波数範囲内に第１の送信制御情報、および第２の周波数範囲内に第２の送信制御情報を備え、前記データ部分は、第３の周波数範囲内に第１のデータ、および第４の周波数範囲内に第２のデータを符号化する、
前記ワイヤレスデバイスが前記第１の送信制御情報によって識別されるかどうかを決定するために、前記ワイヤレスデバイスのための前記第１の送信制御情報を含む前記第１の周波数範囲の指示に基づき、前記第１の送信制御情報を復号することと、
前記復号された第１の送信制御情報が前記ワイヤレスデバイスを識別することに応答して、前記第１のデータを復号することと、
を備え、
ここにおいて、前記第１の送信制御情報および前記第２の送信制御情報の両方はＨＥ−ＳＩＧＢフィールド内に符号化される、方法。
【請求項８】
ワイヤレスネットワークを介してワイヤレスフレームを送信するための装置であって、
電子ハードウェアプロセッサと、
前記電子ハードウェアプロセッサに動作可能に接続された、電子ハードウェアメモリと、
を備え、前記電子ハードウェアメモリは、実行されたとき、前記電子ハードウェアプロセッサに、
前記ワイヤレスフレームのプリアンブルのＨＥ−ＳＩＧＢフィールド中に第１のデバイスのための第１の送信制御情報を生成することと、前記第１の送信制御情報は、第１のデータ送信周波数範囲を示し、
前記ＨＥ−ＳＩＧＢフィールド中に第２のデバイスのための第２の送信制御情報を生成することと、前記第２の送信制御情報は、第２のデータ送信周波数範囲を示し、
前記ワイヤレスフレームを送信することと、
を行わせる命令を記憶し、ここにおいて、前記送信することは、
第１の周波数範囲で前記第１の送信制御情報の少なくとも一部分を送信するのと同時に、前記第１の周波数範囲と重複しない第２の周波数範囲で前記第２の送信制御情報の少なくとも一部分を送信することと、
前記第１の送信制御情報に従って、前記第１のデータ送信周波数範囲で前記第１のデバイスに第１のデータを送信することと、前記第１のデータ送信周波数範囲は、前記第１の周波数範囲とは異なり、
前記第２の送信制御情報に従って、前記第２のデータ送信周波数範囲で前記第２のデバイスに第２のデータを送信することと、
前記第１のデバイスのための前記第１の送信制御情報を含む前記第１の周波数範囲の指示を前記第１のデバイスにシグナリングすることと、
を備える、装置。
【請求項９】
前記電子ハードウェアメモリは、実行されたとき、前記電子ハードウェアプロセッサに、直交周波数分割多元接続（ＯＦＤＭＡ）を使用するマルチユーザ通信を実行するために、前記ワイヤレスフレームを生成させるさらなる命令を記憶する、請求項８に記載の装置。
【請求項１０】
前記電子ハードウェアメモリは、実行されたとき、前記電子ハードウェアプロセッサに、
前記第１のデバイスと前記第２のデバイスとのための共通送信制御情報を生成させるさらなる命令を記憶し、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、請求項８に記載の装置。
【請求項１１】
前記電子ハードウェアメモリは、実行されたとき、前記電子ハードウェアプロセッサに、第３のワイヤレスデバイスのための送信パラメータを定義するために、前記第１の送信制御情報を生成させるさらなる命令を記憶する、請求項８に記載の装置。
【請求項１２】
前記電子ハードウェアメモリは、実行されたとき、前記電子ハードウェアプロセッサに、前記第１の送信制御情報が前記第１の周波数範囲で送信されることを示す第２のワイヤレスフレームを前記第１のデバイスに送信させるさらなる命令を記憶する、請求項８に記載の装置。
【請求項１３】
前記第１の周波数範囲が２０Ｍｈｚ幅であり、前記第２の周波数範囲が２０Ｍｈｚ幅である、請求項８に記載の装置。
【請求項１４】
ワイヤレスネットワークからワイヤレスデバイスによってワイヤレスデータを受信するための装置であって、前記装置は、
プリアンブルとデータ部分とを含むワイヤレスフレームを受信するように構成された受信機と、前記プリアンブルは、第１の周波数範囲内に第１の送信制御情報、および第２の周波数範囲内に第２の送信制御情報を備え、前記データ部分は、第３の周波数範囲内に第１のデータ、および第４の周波数範囲内に第２のデータを符号化し、
前記装置が前記第１の送信制御情報によって識別されるかどうかを決定するために、前記装置のための前記第１の送信制御情報を含む前記第１の周波数範囲の指示に基づき、前記第１の送信制御情報を復号することと、
前記復号された第１の送信制御情報が前記装置を識別することに応答して、前記第１のデータを復号することと、
を行うように構成されたプロセッサと、
を備え、
ここにおいて、前記第１の送信制御情報および前記第２の送信制御情報の両方はＨＥ−ＳＩＧＢフィールド内に符号化される、装置。
【請求項１５】
コンピュータ上で実行されたとき、請求項１ないし６のいずれか一項に記載の方法を実行するための命令を備えるコンピュータプログラム。
【請求項１６】
コンピュータ上で実行されたとき、請求項７に記載の方法を実行するための命令を備えるコンピュータプログラム。
【発明の詳細な説明】
【技術分野】
【０００１】
本開示のいくつかの態様は、一般にワイヤレス通信に関し、より詳細には、ワイヤレスネットワークにおける複数ユーザ通信のための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、同期光ネットワーキング（Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利には、固定ワイヤードネットワークと比較して、ユーザモビリティと迅速なフィールド展開とを可能にする。
【０００４】
[0004]複数のデバイス間でワイヤレス通信される情報のボリュームおよび複雑さが増加し続けるにつれて、物理レイヤ制御信号に必要なオーバーヘッド帯域幅が少なくとも線形的に増加し続ける。物理レイヤ制御情報を伝達するために利用されるビット数が、必要とされるオーバーヘッドのかなりの部分になっている。したがって、限られた通信リソースでは、特に複数のタイプのトラフィックがアクセスポイントから複数の端末にコンカレントに送られるとき、この物理レイヤ制御情報を伝達するために必要とされるビット数を低減することが望ましい。たとえば、アクセスポイントが複数の端末にダウンリンク通信を送るとき、すべての送信のダウンリンクを制御するために必要とされるビット数を最小限に抑えることが望ましい。したがって、複数の端末から／への送信のための改善されたプロトコルが必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明される望ましい属性を担当するとは限らない。添付の特許請求の範囲を限定することなしに、いくつかの顕著な特徴が本明細書で説明される。
【０００６】
[0006]本明細書で説明される主題の１つまたは複数の実装形態の詳細が、添付の図面および以下の説明に記載されている。他の特徴、態様、および利点は、説明、図面、および特許請求の範囲から明らかになり得る。以下の図の相対寸法は一定の縮尺で描かれていないことがあることに留意されたい。
【０００７】
[0007]開示される一態様は、ワイヤレスネットワークを介してワイヤレスフレームを送信する方法である。本方法は、第１のデバイスのための第１の送信制御情報を生成することと、第２のデバイスのための第２の送信制御情報を生成することと、ワイヤレスフレームを送信することとを含み、送信は、第１の周波数範囲で第１の送信制御情報の少なくとも一部分を送信するとともに、それと同時に、第１の周波数範囲と重複しない第２の周波数範囲を介して第２の送信制御情報の少なくとも一部分を送信することと、第１の送信制御情報に従って第１のデバイスに第１のデータを送信することと、第２の送信制御情報に従って第２のデバイスに第２のデータを送信することと、を含む。
【０００８】
[0008]いくつかの態様では、本方法はまた、第１の周波数範囲とは異なる、第１のデバイスのためのデータ送信周波数範囲を示す第１の送信制御情報を生成することと、示されたデータ送信周波数範囲内で第１のデバイスに第１のデータを送信することとを含む。
【０００９】
[0009]いくつかの態様では、本方法はまた、直交周波数分割多元接続（ＯＦＤＭＡ）を使用してマルチユーザ通信を実行するためにワイヤレスフレームを生成することを含む。いくつかの態様では、本方法はまた、第１のデバイスと第２のデバイスとのための共通送信制御情報を生成することを含み、ここにおいて、ワイヤレスフレームを送信することは、第１の周波数範囲と第２の周波数範囲の両方で共通送信制御情報を同時に送信することと、共通送信制御情報に従って第１のデータと第２のデータとを送信することとをさらに含む。いくつかの態様では、本方法はまた、第３のワイヤレスデバイスのための送信パラメータを定義する第１の送信制御情報を生成することを含む。いくつかの態様では、本方法はまた、第１の送信制御情報が第１の周波数範囲で送信されることを示す第２のワイヤレスフレームを第１のデバイスに送信することを含む。いくつかの態様では、本方法はまた、ワイヤレスフレームのプリアンブルのＨＥ−ＳＩＧＢフィールド中に第１の送信制御情報を生成することと、ワイヤレスフレームのプリアンブルのＨＥ−ＳＩＧＢフィールド中に第２の送信制御情報を生成することと、を含み、ここにおいて、送信することは、第１の周波数範囲中に第１の送信制御情報を、および第２の周波数範囲中に第２の送信制御情報を含む、ＨＥ−ＳＩＧＢフィールドを送信することを備える。
【００１０】
[0010]いくつかの態様では、第１の周波数範囲は２０Ｍｈｚ幅であり、第２の周波数範囲は２０Ｍｈｚ幅である。いくつかの態様では、本方法はまた、２ｘトーンプランまたは４ｘトーンプランのいずれかを使用してロングトレーニングフィールドを生成することを含み、ここにおいて、ワイヤレスフレームを送信することは、ワイヤレスフレーム内で第１の送信制御情報の前におよび第２の送信制御情報の前に、ロングトレーニングフィールドを送信することをさらに備える。
【００１１】
[0011]開示される別の態様は、ワイヤレスネットワークからワイヤレスデバイスによってワイヤレスデータを受信する方法である。本方法は、ワイヤレスデバイスによって、プリアンブルとデータ部分とを含むワイヤレスフレームを受信すること、プリアンブルは、第１の周波数範囲内の第１の送信制御情報と第２の周波数範囲内の第２の送信制御情報とを備え、データ部分は、第３の周波数範囲内で第１のデータを、および第４の周波数範囲内で第２のデータを符号化し、と、ワイヤレスデバイスが第１の送信制御情報によって識別されるかどうかを決定するために、第１の送信制御情報を復号することと、復号された第１の送信制御情報がワイヤレスデバイスを識別することに応答して、第１のデータを復号することと、を含む。
【００１２】
[0012]いくつかの態様では、本方法はまた、第１の送信制御情報がワイヤレスデバイスを識別しないことに応答して、第２の送信制御情報を復号することと、第２の送信制御情報がワイヤレスデバイスを識別することに応答して、第２のデータを復号することとを含む。いくつかの態様では、本方法は、第１の送信制御情報を復号することに基づいて、データ部分中のワイヤレスデバイスに宛てられたデータを符号化する周波数範囲を決定することと、第３の周波数範囲が、ワイヤレスデバイスに宛てられたデータを符号化すると決定することに応答して、第１のデータを復号することと、を含む。
【００１３】
[0013]いくつかの態様では、第１の送信制御情報が第１の周波数範囲内で受信され、第２の送信制御情報が第２の周波数範囲内で受信され、両方がＨＥ−ＳＩＧＢフィールド内に符号化される。いくつかの態様では、本方法はまた、ワイヤレスデバイスに固有の送信制御情報を識別するためのワイヤレスデバイスの識別子に基づいて、第２の送信制御情報をパースすることを含む。いくつかの態様では、本方法はまた、４ｘトーンプランを使用して第１の送信制御情報を復号することを含む。
【００１４】
[0014]開示される別の態様は、ワイヤレスネットワークでワイヤレスフレームを送信するための装置である。本装置は、電子ハードウェアプロセッサと、電子ハードウェアメモリとを含み、電子ハードウェアメモリは、電子ハードウェアプロセッサに動作可能に接続され、実行されたとき、電子ハードウェアプロセッサに、第１のデバイスのための第１の送信制御情報を生成することと、第２のデバイスのための第２の送信制御情報を生成することと、ワイヤレスフレームを送信することとを行わせる命令を記憶し、ここにおいて、送信は、第１の周波数範囲で第１の送信制御情報の少なくとも一部分を送信するとともに、それと同時に、第１の周波数範囲と重複しない第２の周波数範囲を介して第２の送信制御情報の少なくとも一部分を同時に送信することと、第１の送信制御情報に従って第１のデバイスに第１のデータを送信することと、第２の送信制御情報に従って第２のデバイスに第２のデータを送信することとを備える。
【００１５】
[0015]いくつかの態様では、電子ハードウェアメモリは、実行されたとき、電子ハードウェアプロセッサに、第１の周波数範囲とは異なる、第１のデバイスのためのデータ送信周波数範囲を示す第１の送信制御情報を生成することと、示されたデータ送信周波数上で第１のデバイスに第１のデータを送信することとを行わせるさらなる命令を記憶する。
【００１６】
[0016]いくつかの態様では、電子ハードウェアメモリは、実行されたとき、電子ハードウェアプロセッサに、直交周波数分割多元接続（ＯＦＤＭＡ）を使用するマルチユーザ通信を実行するためのワイヤレスフレームを生成させるさらなる命令を記憶する。いくつかの態様では、電子ハードウェアメモリは、実行されたとき、電子ハードウェアプロセッサに、第１のデバイスと第２のデバイスとのための共通送信制御情報を生成することを行わせるさらなる命令を記憶し、ここにおいて、ワイヤレスフレームを送信することは、第１の周波数範囲と第２の周波数範囲の両方で共通送信制御情報を同時に送信することと、共通送信制御情報に従って第１のデータと第２のデータとを送信することとをさらに備える。
【００１７】
[0017]いくつかの態様では、電子ハードウェアメモリは、実行されたとき、電子ハードウェアプロセッサに、第３のワイヤレスデバイスのための送信パラメータを定義するように第１の送信制御情報を生成させるさらなる命令を記憶する。
【００１８】
[0018]いくつかの態様では、電子ハードウェアメモリは、実行されたとき、電子ハードウェアプロセッサに、第１の送信制御情報が第１の周波数範囲で送信されることを示す第２のワイヤレスフレームを第１のデバイスに送信させるさらなる命令を記憶する。いくつかの態様では、電子ハードウェアメモリは、実行されたとき、電子ハードウェアプロセッサに、ワイヤレスフレームのプリアンブルのＨＥ−ＳＩＧＢフィールド中に第１の送信制御情報を生成することと、ワイヤレスフレームのプリアンブルのＨＥ−ＳＩＧＢフィールド中に第２の送信制御情報を生成することと、を行わせるさらなる命令を記憶し、ここにおいて、送信することは、第１の周波数範囲中に第１の送信制御情報を、および第２の周波数範囲中に第２の送信制御情報を含む、ＨＥ−ＳＩＧＢフィールドを送信することを備える。いくつかの態様では、第１の周波数範囲は２０Ｍｈｚ幅であり、第２の周波数範囲は２０Ｍｈｚ幅である。
【００１９】
[0019]いくつかの態様では、電子ハードウェアメモリは、実行されたとき、電子ハードウェアプロセッサに、２ｘトーンプランまたは４ｘトーンプランのいずれかを使用してロングトレーニングフィールドを生成させるさらなる命令を記憶し、ここにおいて、ワイヤレスフレームを送信することは、ワイヤレスフレーム内で第１の送信制御情報の前におよび第２の送信制御情報の前に、ロングトレーニングフィールドを送信することをさらに備える。
【００２０】
[0020]開示される別の態様は、ワイヤレスネットワークからワイヤレスデバイスによってワイヤレスデータを受信するための装置である。本装置は、プリアンブルとデータ部分とを含むワイヤレスフレームを受信するように構成された受信機と、プリアンブルは、第１の周波数範囲内の第１の送信制御情報と第２の周波数範囲内の第２の送信制御情報とを備え、データ部分は、第３の周波数範囲内で第１のデータを、および第４の周波数範囲内で第２のデータを符号化し、装置が第１の送信制御情報によって識別されるかどうかを決定するために、第１の送信制御情報を復号することと、復号された第１の送信制御情報が装置を識別することに応答して、第１のデータを復号することと、を行うように構成されたプロセッサとを含む。
【００２１】
[0021]いくつかの態様では、プロセッサは、第１の送信制御情報がワイヤレスデバイスを識別しないことに応答して、第２の送信制御情報を復号することと、第２の送信制御情報がワイヤレスデバイスを識別することに応答して、第２のデータを復号することとを行うようにさらに構成される。いくつかの態様では、プロセッサは、第１の送信制御情報を復号することに基づいて、データ部分中のワイヤレスデバイスに宛てられたデータを符号化する周波数範囲を決定することと、第３の周波数範囲が、ワイヤレスデバイスに宛てられたデータを符号化すると決定することに応答して、第１のデータを復号することとを行うようにさらに構成される。
【００２２】
[0022]いくつかの態様では、第１の送信制御情報が第１の周波数範囲内で受信され、第２の送信制御情報が第２の周波数範囲内で受信され、両方がＨＥ−ＳＩＧＢフィールド内に符号化される。いくつかの態様では、プロセッサは、ワイヤレスデバイスに固有の送信制御情報を識別するために、ワイヤレスデバイスの識別子に基づいて第２の送信制御情報をパースするようにさらに構成される。いくつかの態様では、プロセッサは、４ｘトーンプランを使用して第１の送信制御情報を復号するようにさらに構成される。
【図面の簡単な説明】
【００２３】
【図１】本開示の態様が採用され得るワイヤレス通信システムの一例を示す図。
【図２】図１のワイヤレス通信システム内で採用され得るワイヤレスデバイスにおいて利用され得る様々な構成要素を示す図。
【図３】８０２．１１システムのために利用可能なチャネルのためのチャネル割振りを示す図。
【図４】後方互換多元接続ワイヤレス通信を可能にするために使用され得る物理レイヤパケットの例示的な構造を示す図。
【図５】後方互換多元接続ワイヤレス通信を可能にするために使用され得る物理レイヤパケットの例示的な構造を示す図。
【図６Ａ】後方互換多元接続ワイヤレス通信を可能にするために使用され得る物理レイヤパケットの例示的な構造を示す図
【図６Ｂ】図６ＡのＨＥ−ＳＩＧＢ共通フィールド中に含まれ得るマップフィールド９５０の例示的な実装形態を示す図。
【図７】少なくとも４つの周波数帯域にわたって送信されるパケット１０００の別の例示的な実装形態を示す図。
【図８Ａ】開示される一実装形態において使用される例示的なフレームフォーマット。
【図８Ｂ】開示される一実装形態において使用される例示的なフレームフォーマット。
【図９】図１のワイヤレス通信システム１２０内で採用され得るワイヤレス通信の例示的な方法のためのフローチャート１２００。
【図１０】図１のワイヤレス通信システム１２０内で採用され得るワイヤレス通信の例示的な方法のためのフローチャート。
【図１１】図１のワイヤレス通信システム１２０内で採用され得るワイヤレス通信の例示的な方法のためのフローチャート。
【図１２】図１のワイヤレス通信システム１２０内で採用され得るワイヤレス通信の例示的な方法のためのフローチャート。
【発明を実施するための形態】
【００２４】
[0037]添付の図面を参照しながら、新規のシステム、装置、および方法の様々な態様が以下でより十分に説明される。ただし、開示される教示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるいかなる態様も請求項の１つまたは複数の要素によって実施され得ることを理解されたい。
【００２５】
[0038]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００２６】
[0039]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明される様々な態様は、ＷｉＦｉ（登録商標）、またはより一般的には、ワイヤレスプロトコルの米国電気電子技術者協会（ＩＥＥＥ：Institute of Electrical and Electronics Engineers）８０２．１１ファミリーの任意のメンバーなど、任意の通信規格に適用され得る。たとえば、本明細書で説明される様々な態様は、ＯＦＤＭＡ通信をサポートする８０２．１１プロトコルなど、ＩＥＥＥ８０２．１１プロトコルの一部として使用され得る。
【００２７】
[0040]局（ＳＴＡ）など、複数のデバイスが同時にアクセスポイント（ＡＰ）と通信することを可能にすることは有益であり得る。たとえば、これは、複数のＳＴＡがより少ない時間においてＡＰから応答を受信し、より少ない遅延を伴ってＡＰからデータを送信および受信することができるようにすることを可能にすることができる。これはまた、ＡＰが全体的により多くの数のデバイスと通信することを可能にすることができ、また、帯域幅使用をより効率的にすることができる。多元接続通信を使用することによって、ＡＰは、たとえば、８０ＭＨｚ帯域幅上で一度に４つのデバイスに対して、直交周波数分割多重（ＯＦＤＭ）シンボルを多重化することが可能であり得、ここで、各デバイスは２０ＭＨｚ帯域幅を利用する。したがって、多元接続は、ＡＰがそのＡＰにとって利用可能なスペクトルをより効率的に使用することを可能にすることができるので、多元接続は、いくつかの態様では、有益であり得る。
【００２８】
[0041]８０２．１１ファミリーなど、ＯＦＤＭシステム中の多元接続プロトコルは、いくつかの態様では、ＡＰとＳＴＡとの間で送信されるシンボルの異なるサブキャリア（またはトーン）を異なるＳＴＡに割り当てることによって実装され得る。このようにして、ＡＰは、単一の送信されるＯＦＤＭシンボルを用いて複数のＳＴＡと通信し得、ここで、シンボルの異なるトーンが異なるＳＴＡによって復号および処理され、したがって、複数のＳＴＡへの同時データ転送を可能にする。これらのシステムは、ＯＦＤＭＡシステムと呼ばれることがある。
【００２９】
[0042]そのようなトーン割振り方式は、本明細書では「高効率」（ＨＥ：high-efficiency）システムと呼ばれ、そのような複数トーン割振りシステムにおいて送信されるデータパケットは高効率（ＨＥ）パケットと呼ばれことがある。後方互換性プリアンブルフィールドを含むそのようなパケットの様々な構造が以下で詳細に説明される。
【００３０】
[0043]添付の図面を参照しながら、新規のシステム、装置、および方法の様々な態様が以下でより十分に説明される。ただし、本開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるいかなる態様も請求項の１つまたは複数の要素によって実施され得ることを理解されたい。
【００３１】
[0044]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００３２】
[0045]普及しているワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明される様々な態様は、ワイヤレスプロトコルなど、任意の通信規格に適用され得る。
【００３３】
[0046]いくつかの態様では、ワイヤレス信号は８０２．１１プロトコルに従って送信され得る。いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局またはＳＴＡとも呼ばれる）クライアントがあり得る。概して、ＡＰはＷＬＡＮのためのハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉＦｉ準拠ワイヤレスリンクを介してＡＰに接続する。いくつかの実装形態では、ＳＴＡはＡＰとして使用されることもある。
【００３４】
[0047]また、アクセスポイント（ＡＰ）は基地局、ワイヤレスアクセスポイント、アクセスノードまたは同様の用語を含むか、それらのいずれかとして実装されるか、あるいはそれらのいずれかとして知られていることがある。
【００３５】
[0048]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介したネットワーク通信のために構成された他の好適なデバイスに組み込まれ得る。
【００３６】
[0049]本明細書で開示される方法および装置は、マルチユーザ通信を実施するワイヤレスフレームの送信および受信を提供する。開示されるフレームは、マルチユーザ通信に参加する複数のデバイスのためのデバイス固有送信制御情報を符号化する。ワイヤレス通信の効率を改善するために、いくつかの態様では、１つまたは複数のデバイスのための送信制御情報が、グループ化され、特定の周波数帯域幅を介して送信され得、（while）１つまたは複数の他のデバイスのための送信制御情報が、グループ化され、異なる周波数帯域幅を介して同時に送信され得る。このようにして送信制御情報を多重化することによって、ワイヤレス媒体のより良い利用が達成され得る。
【００３７】
[0050]他の態様は、ワイヤレスフレーム内の特定のデバイスのための送信制御情報の位置を特定することの改善された方法を提供し得る。たとえば、開示される方法およびシステムのうちのいくつかは、マップフィールドを含むワイヤレスフレームを生成または受信する。マップフィールドは、マルチユーザ通信に参加する各デバイスのための送信制御情報のロケーションのインジケータを与える。マップフィールドを復号すると、各受信デバイスは、フレーム内のそれのそれぞれの送信制御情報の位置を特定することが可能であり、したがって、受信されたフレームを処理することの効率を改善する。その特定のデバイスのためのデータは、次いで、位置を特定された送信制御情報に基づいて受信され得る。
【００３８】
[0051]他の態様は、送信制御情報を符号化および復号する改善された方法を提供する。たとえば、いくつかの態様では、第１のデバイス固有の送信制御情報が、第１のデバイスの識別子に基づいて符号化される。送信制御情報が受信されたとき、他のデバイスは、第１のデバイスの識別子とは異なる、それら自体の識別子に基づいて復号を実行するので、その送信制御情報を正常に復号することができない。第１のデバイスは、情報を符号化するために使用される同じ識別子である、それの識別子に基づいて送信制御情報を正常に復号することが可能であり得る。
【００３９】
[0052]図１は、本開示の態様が採用され得るワイヤレス通信システム１００の一例を示す。ワイヤレス通信システム１００は、ワイヤレス規格、たとえば、８０２．１１ａｈ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、高効率ワイヤレス規格、たとえば８０２．１１ａｘ規格に従って動作することができる。ワイヤレス通信システム１００は、（本明細書では、総称的に（１つまたは複数の）ＳＴＡ１０６と呼ばれることがある）ＳＴＡ１０６Ａ〜１０６Ｄと通信するＡＰ１０４を含むことができる。
【００４０】
[0053]様々なプロセスおよび方法が、ＡＰ１０４とＳＴＡ１０６Ａ〜１０６Ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００４１】
[0054]ＡＰ１０４からＳＴＡ１０６Ａ〜１０６Ｄのうちの１つまたは複数への送信を可能にする通信リンクはダウンリンク１０８と呼ばれることがあり、ＳＴＡ１０６Ａ〜１０６Ｄのうちの１つまたは複数からＡＰ１０４への送信を可能にする通信リンクはアップリンク１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００４２】
[0055]ＡＰ１０４は、基地局として働き、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明されるＡＰ１０４の機能は、代替的にＳＴＡ１０６Ａ〜１０６Ｄのうちの１つまたは複数によって実施され得る。
【００４３】
[0056]いくつかの態様では、ＳＴＡ１０６は、ＡＰ１０４に通信を送るために、および／またはＡＰ１０４から通信を受信するために、ＡＰ１０４に関連付ける（associate）ことが必要とされ得る。一態様では、関連付けるための情報（information for associating）は、ＡＰ１０４によるブロードキャスト中に含まれる。そのようなブロードキャストを受信するために、ＳＴＡ１０６は、たとえば、カバレージ領域にわたって広カバレージ探索（broad coverage search）を実行することができる。また、探索は、ＳＴＡ１０６が、たとえば、灯台方式でカバレージ領域をスイープ（sweep）することによって実行され得る。関連付けるための情報を受信した後に、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００４４】
[0057]一実施形態では、ＡＰ１０４は、ＡＰ高効率ワイヤレスコントローラ（ＨＥＷ）１５４を含む。ＡＰ  ＨＥＷ１５４は、８０２．１１プロトコルを使用して、ＡＰ１０４とＳＴＡ１０６Ａ〜１０６Ｄとの間の通信を可能にするために、本明細書で説明される動作の一部または全部を実施することができる。ＡＰ  ＨＥＷ１５４の機能が、図４〜図２０に関して以下でより詳細に説明される。
【００４５】
[0058]代替的にまたは追加として、ＳＴＡ１０６Ａ〜１０６Ｄは、ＳＴＡ  ＨＥＷ１５６を含むことができる。ＳＴＡ  ＨＥＷ１５６は、８０２．１１プロトコルを使用して、ＳＴＡ１０６Ａ〜１０６ＤとＡＰ１０４との間の通信を可能にするために、本明細書で説明される動作の一部または全部を実施することができる。ＳＴＡ  ＨＥＷ１５６の機能が、図２〜図１１に関して以下でより詳細に説明される。
【００４６】
[0059]図２は、図１のワイヤレス通信システム１００内で採用され得るワイヤレスデバイス２０２において利用され得る様々な構成要素を示す。ワイヤレスデバイス２０２は、本明細書で説明される様々な方法を実装するように構成され得るデバイスの一例である。たとえば、ワイヤレスデバイス２０２は、ＡＰ１０４を含むか、またはＳＴＡ１０６Ａ〜１０６Ｄのうちの１つを含むことができる。
【００４７】
[0060]ワイヤレスデバイス２０２は、ワイヤレスデバイス２０２の動作を制御する電子ハードウェアプロセッサ２０４を含むことができる。プロセッサ２０４は中央処理ユニット（ＣＰＵ）またはハードウェアプロセッサと呼ばれることもある。読取り専用メモリ（ＲＯＭ）とランダムアクセスメモリ（ＲＡＭ）の両方を含むことができる電子ハードウェアメモリ２０６は、命令とデータとを記憶し、それらをプロセッサ２０４に与え得る。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実施する。メモリ２０６中の命令は、本明細書で説明される方法を実装するように実行可能であり得る。
【００４８】
[0061]プロセッサ２０４は、１つまたは複数のプロセッサを用いて実装された処理システムを含むか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。プロセッサ２０４、またはプロセッサ２０４およびメモリ２０６は、以下でより詳細に説明され得るように、パケットタイプフィールド中に値を含むパケットを生成し、パケットタイプフィールド中の値に少なくとも部分的に基づいて、複数の後続のフィールドの各々にパケットの複数のビットを割り振るために利用され得る、図１のパケット生成器１２４に対応することができる。
【００４９】
[0062]処理システムは、ソフトウェアを記憶するための非一時的機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、またはコードの任意の他の好適な形式の）コードを含むことができる。命令は、１つまたは複数のプロセッサによって実行されたとき、本明細書で説明される様々な機能を処理システムに実施させる。
【００５０】
[0063]ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、多入力多出力（ＭＩＭＯ）通信中に利用され得る、複数の送信機、複数の受信機、複数のトランシーバ、および／または複数のアンテナを含むことができる（図示せず）。
【００５１】
[0064]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤプロトコルデータユニット（ＰＰＤＵ）を含むことができる。いくつかの態様では、ＰＰＤＵはパケットと呼ばれる。
【００５２】
[0065]ワイヤレスデバイス２０２は、いくつかの態様ではユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を伝達し、および／またはユーザからの入力を受信する、任意の要素または構成要素を含むことができる。
【００５３】
[0066]ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは与え得ることを、当業者は諒解することができる。
【００５４】
[0067]図２には、いくつかの別個の構成要素が示されているが、構成要素のうちの１つまたは複数が組み合わせられるか、または共通に実装され得ることを、当業者は認識することができる。たとえば、プロセッサ２０４は、プロセッサ２０４に関して上記で説明された機能を実装するためだけでなく、信号検出器２１８および／またはＤＳＰ２２０に関して上記で説明された機能を実装するためにも使用され得る。さらに、図２に示された構成要素の各々は、複数の別個の要素を使用して実装され得る。
【００５５】
[0068]上記で説明されたように、ワイヤレスデバイス２０２は、ＡＰ１０４またはＳＴＡ１０６Ａ〜１０６Ｄのうちの１つを含むことができ、通信を送信および／または受信するために使用され得る。ワイヤレスネットワークにおけるデバイス間で交換される通信は、パケットまたはフレームを含むことができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実施するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００５６】
[0069]図３は、８０２．１１システムのために利用可能なチャネルのためのチャネル割振りを示す。様々なＩＥＥＥ８０２．１１システムは、５ＭＨｚチャネル、１０ＭＨｚチャネル、２０ＭＨｚチャネル、４０ＭＨｚチャネル、８０ＭＨｚチャネル、および１６０ＭＨｚチャネルなど、いくつかの異なるサイズのチャネルをサポートする。たとえば、８０２．１１ａｃデバイスは、２０ＭＨｚチャネル、４０ＭＨｚチャネル、および８０ＭＨｚチャネル帯域幅の受信および送信をサポートすることができる。より大きいチャネルが、２つの隣接する、より小さいチャネルを含むことができる。たとえば、８０ＭＨｚチャネルは２つの隣接する４０ＭＨｚチャネルを含むことができる。現在実装されているＩＥＥＥ８０２．１１システムでは、２０ＭＨｚチャネルは、３１２．５ｋＨｚだけ互いから分離された、６４個のサブキャリアを含んでいる。これらのサブキャリアのうちの、より少ない数のサブキャリアが、データを搬送するために使用され得る。たとえば、２０ＭＨｚチャネルは、−１〜−４２８、および１〜４２８の番号を付けられた送信サブキャリア、すなわち５６個のサブキャリアを含むことができる。これらのキャリアのうちのいくつかはまた、パイロット信号を送信するために使用され得る。
【００５７】
[0070]図４は、後方互換多元接続ワイヤレス通信を可能にするために使用され得る物理レイヤパケットの例示的な構造を示す。この例示的な物理レイヤパケットは、レガシーショートトレーニングフィールドと、レガシーロングトレーニングフィールドと、レガシー信号フィールドとを含む、レガシープリアンブル７０２を含む。パケット７００は、ＲＬ−ＳＩＧフィールド７０４と、高効率信号Ａフィールド７０６とをも含む。パケット７００はデータ７１２をも含む。データ７１２は、ＭＵ−ＭＩＭＯまたはＯＦＤＭＡを使用することによってなど、マルチユーザ送信モードを使用して送信されたデータを含み得る。
【００５８】
[0071]パケット７００は、パケット７００中で行われるマルチユーザ通信に参加する各ユーザのための別個のＨＥ−ＳＩＧＢフィールド７０８ａおよび７１０ａをも含む。図７において開示される態様では、マルチユーザ送信の各ユーザのための情報は、別々に符号化され、巡回冗長検査（ＣＲＣ）など、個々の誤り検出値を含む。たとえば、ＣＲＣ７０８ｂはＨＥ−ＳＩＧＢフィールド７０８ａに対応し得、ＣＲＣフィールド７１０ｂはＨＥ−ＳＩＧＢフィールド７１０ａに対応し得る。いくつかの態様では、ＨＥ−ＳＩＧＢフィールド７０８ａおよび７１０ａの各々は、１次２０Ｍｈｚチャネル中で送信される。
【００５９】
[0072]パケット７００のいくつかの態様では、各ユーザは、ＨＥ−ＳＩＧＢフィールド中の固定数のビット（コードブロック）を割り振られる。各コードブロックは、コードブロックがいくつかの態様では２つのシンボルにわたり得るという点で、必ずしもＯＦＤＭＡシンボル境界と整合するとは限らないことがある。パケット７００のいくつかの態様では、マルチユーザ通信に参加する各ＳＴＡのためのリソース割振りは、マルチユーザ通信に参加する他のＳＴＡとは無関係（independent）であり得る。
【００６０】
[0073]パケット７００を利用するいくつかの態様は、パケット７００とは異なるパケット（図示せず）を使用して特定のＳＴＡのためのＳＩＧＢフィールドのパケット７００内のロケーションをシグナリングし得る。いくつかの他の態様は、パケット７００中に含まれるデータとともに特定のＳＴＡのためのＳＩＧＢフィールドのロケーションを示し得る。
【００６１】
[0074]パケット７００を利用する他の態様は、各ＳＴＡについて別々に、関連するＳＩＧＢ情報とともに、マルチユーザ通信に参加する局の識別子を符号化し得る。たとえば、いくつかの態様では、巡回冗長検査など、誤り検出値は、局ＳＩＧＢ情報の少なくとも一部分のために決定され得る。誤り検出値は、宛先局のための識別子と排他的論理和され、次いで、たとえば、ＣＲＣ８０８ｂまたは８１０ｂとしてパケット７００中に含まれ得る。これらの態様では、識別子と誤り検出値とは等しいビット数を有し得る。
【００６２】
[0075]パケットが局によって受信されたとき、局は、それの識別子に基づいて各ＨＥ−ＳＩＧＢフィールド８０８ａおよび８１０ａを復号することを試み得るが、符号化プロセスが、他の局を対象とするＨＥ−ＳＩＧＢフィールドについて異なる識別子を使用すると仮定すれば、その局を対象とするＨＥ−ＳＩＧＢフィールドのみが正しく復号される。いくつかの態様では、識別子は、局であるかまたは部分局識別子であり得る。
【００６３】
[0076]図５は、後方互換多元接続ワイヤレス通信を可能にするために使用され得る物理レイヤパケットの例示的な構造を示す。パケット８００は、いくつかの点ではパケット７００と同様である。パケット８００は、レガシーショートトレーニングフィールドと、レガシーロングトレーニングフィールドと、レガシー信号フィールドとを含む、レガシープリアンブル８０２を含む。パケット８００は、ＲＬ−ＳＩＧフィールド８０４と、高効率信号Ａフィールド８０６とをも含む。パケット８００はデータ８１２をも含む。データ８１２は、ＭＵ−ＭＩＭＯまたはＯＦＤＭＡを使用することによってなど、マルチユーザ送信モードを使用して送信されたデータを含み得る。
【００６４】
[0077]図４のパケット７００と同様に、パケット８００は、パケット８００中で行われるマルチユーザ通信に参加する各ユーザのための別個のＳＩＧＢフィールドをも含む。これらのＳＩＧＢフィールドは、ＨＥ−ＳＩＧＢフィールド８０８ａおよびＨＥ−ＳＩＧＢフィールド８１０ａとして図５に示されている。図５において開示される態様では、マルチユーザ送信の各ユーザのための情報は、別々に符号化され、ＣＲＣなど、個々の誤り検出値を含む。たとえば、ＣＲＣ８０８ｂはＨＥ−ＳＩＧＢフィールド８０８ａに対応し得、ＣＲＣフィールド８１０ｂはＨＥ−ＳＩＧＢフィールド８１０ａに対応し得る。いくつかの態様では、ＨＥ−ＳＩＧＢフィールド８０８ａおよび８１０ａの各々は、１次２０Ｍｈｚチャネル中で送信される。
【００６５】
[0078]特定の局が、それのそれぞれのＳＩＧＢフィールドがパケット８００中のどこに位置するかを識別するために、パケット８００はマップフィールド８０７をも含む。マップフィールド８０７は、マルチユーザ通信に参加する局の識別子からパケット８００内のＨＥ−ＳＩＧＢロケーションへのマッピングを与え得る。
【００６６】
[0079]図６Ａは、後方互換多元接続ワイヤレス通信を可能にするために使用され得る物理レイヤパケットの例示的な構造を示す。図６Ａは、４つの周波数帯域９０２ａ〜ｄ内で送信されるパケット９００の部分を示す。いくつかの態様では、周波数帯域９０２ａ〜ｄは、それぞれ０〜２０Ｍｈｚ、２０Ｍｈｚ〜４０Ｍｈｚ、４０Ｍｈｚ〜６０Ｍｈｚ、および６０Ｍｈｚ〜８０Ｍｈｚに対応し得る。図６Ａは、各周波数帯域９０２ａ〜ｄが、レガシープリアンブル９０４、ＲＬ−ＳＩＧフィールド９０６、ＨＥ−ＳＩＧＡフィールド９０８、およびＨＥ−ＳＩＧＢ共通フィールド９１０の複製された送信を含むことを示す。いくつかの態様では、ＨＥ−ＳＩＧＢ共通フィールド９１０は、ダウンリンク／アップリンクインジケータ、シングルユーザ／マルチユーザ指示、データＧＩおよびロングトレーニングフィールド（ＬＴＦ）圧縮インジケータ、パディングビット、ユーザ数インジケータのうちの１つまたは複数を含み得る。いくつかの態様では、ＨＥ−ＳＩＧＢ共通フィールド９１０は、長さが約１０〜２０ビットであり得る。
【００６７】
[0080]パケット９００を利用する態様はまた、１つまたは複数のユーザのための送信制御情報を周波数帯域９０２ａ〜９０２ｄのうちの１つにグループ化し得る。たとえば、いくつかの態様では、最高９つの一意のユーザのための送信制御情報がＨＥ−ＳＩＧＢフィールド９１２を介して周波数帯域９０２ａ〜ｄの各々内で送信され得る。いくつかの態様では、パケット９００を送信するデバイスは、周波数帯域９０２ａ〜ｄのうちのいずれが、パケット９００の一部として行われるマルチユーザ通信に参加する各ＳＴＡについて比較的好ましい干渉特性を有するかを決定し得る。したがって、特定のＳＴＡのＳＩＧ−Ｂ情報が、好ましい特性をもつ周波数帯域９０２ａ〜ｄのうちの１つ内でスケジュールされ得る。
【００６８】
[0081]周波数帯域９０２ａ〜ｄ内のＨＥ−ＳＩＧＢ共通フィールド９１０の各々は、１つまたは複数のユーザに固有の情報を含み得る。ユーザ固有情報は、たとえば、パケット９００の一部としてユーザに送信されたデータの変調およびコーディング方式の指示、コーディングインジケータ、時空間ストリーム数インジケータ（Ｎｓｔｓ）、時空間ボックコード（ＳＴＢＣ：space time bock code）指示、送信ビームフォーミング（ＴｘＢＦ）指示、局／ユーザの識別子を含み得る。いくつかの態様では、識別情報は、局／ユーザの部分識別子、グループ識別子、または他の識別子であり得る。いくつかの態様では、局識別情報は、長さが１１ビット未満であり得る。いくつかの態様では、特定のユーザに送信されたデータは、それ特定のユーザＨＥ−ＳＩＧＢフィールド９１２と同じ周波数範囲内で送信され得ることに留意されたい。ただし、他の態様では、特定のユーザに送信されたデータは、その特定のユーザのためのＨＥ−ＳＩＧＢフィールド９１２とは異なる周波数範囲内で送信され得る。
【００６９】
[0082]いくつかの態様では、ＨＥ−ＳＩＧＢフィールド９１２の各々は、ＣＲＣなど、誤り検出値を含み得る。ＨＥ−ＳＩＧＢフィールド９１２のうちの少なくともいくつか中に複数のユーザのための送信制御情報を符号化するいくつかの態様では、複数のユーザのための送信制御情報は、同じ誤り検出値によって保護され得る。
【００７０】
[0083]図６Ｂは、図６ＡのＨＥ−ＳＩＧＢ共通フィールド９１０中に含まれ得るマップフィールド９５０の例示的な実装形態を示す。マップフィールド９５０は、どのユーザまたは局が周波数帯域９０２ａの各々内に送信制御情報を有するかの指示を与え得る。（ユーザ／局の各々に固有であるこの送信制御情報は、ＨＥ−ＳＩＧＢフィールド９１２内に記憶される）。図６Ｂに示されているように、マップフィールド９５０は、複数の周波数インジケータフィールド９５２ａ〜ｄから構成される。周波数インジケータフィールド９５２ａ〜ｄの各々は、対応する周波数帯域９０２ａ〜ｄの各々内のＨＥ−ＳＩＧＢフィールド９１２内に含まれる送信制御情報をもつＳＴＡの識別子のリストを含み得る。マップフィールド９５０をパースすることによって、パケット９００を受信するデバイスは、どの周波数帯域がそれのユーザ固有送信制御情報を（ＨＥ−ＳＩＧＢフィールド９１２内に）含むかを決定し得る。
【００７１】
[0084]いくつかの他の態様では、マップフィールド９５０は、ＨＥ−ＳＩＧＢ共通フィールド９１０内に含まれないことがある。これらの態様では、受信ユーザ／局に、９０２ａ〜ｄのどの周波数帯域がそのユーザ／局に固有の送信制御情報を含むかを示すために、別個のシグナリングが利用され得る。たとえば、いくつかの態様では、メディアアクセス制御（ＭＡＣ）シグナリングが使用され得る。これらの態様では、各ＳＴＡは、パケット９００によって利用される総帯域幅のサブセットのみを復号し得る。
【００７２】
[0085]マップフィールド９５０を含まないいくつかの他の態様では、受信局／ユーザは、特定のユーザ／局に固有の送信制御情報を決定するために、周波数帯域９０２ａ〜ｄの各々内の各ＨＥ−ＳＩＧＢフィールド９１２を復号し得る。
【００７３】
[0086]図７は、少なくとも４つの周波数範囲１０１０ａ〜ｄにわたって送信されるパケット１０００の別の例示的な実装形態を示す。いくつかの態様では、周波数範囲１０１０ａ〜ｄの各々は２０Ｍｈｚ幅であり得る。パケット１０００は、レガシープリアンブル１０１４と、ＲＬ−ＳＩＧフィールド１０１６と、ＨＥ−ＳＩＧ−Ａフィールド１０１８と、ＨＥ−ＳＩＧＢ共通フィールド１０２０とを含み、それらは、周波数範囲１０１０ａ〜ｄの各々にわたって複製される。図６Ａに関して上記で説明されたように、ＨＥ−ＳＩＧＢ共通フィールド１０２０は、パケット１０００内で行われるマルチユーザ通信に参加するすべての局ユーザに共通の情報を含み得る。いくつかの態様では、ＨＥ−ＳＩＧＢ共通フィールド１０２０は、ダウンリンク／アップリンクインジケータ、シングルユーザ／マルチユーザ指示、データＧＩおよびＬＴＦ圧縮インジケータ、パディングビット、ユーザ数インジケータのうちの１つまたは複数を含み得る。いくつかの態様では、ＨＥ−ＳＩＧＢ共通フィールド１０２０は、長さが約１０〜２０ビットであり得る。
【００７４】
[0087]パケット１０００は、パケット１０００のマルチユーザ通信に参加する各局／ユーザのための局／ユーザ固有送信制御情報フィールド１０５２から構成される、ＨＥ−ＳＩＧＢフィールド１０２２のデバイス固有部分中のユーザ／局固有送信制御情報を個々に符号化する。個々の局／ユーザ固有送信制御情報フィールド１０５２の各々は、１つまたは複数のユーザに固有の情報を含み得る。ユーザ固有情報は、たとえば、パケット１０００の一部としてユーザに送信されたデータの変調およびコーディング方式の指示、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子を含み得る。いくつかの態様では、識別情報は、局／ユーザの部分識別子、グループ識別子、または他の識別子であり得る。いくつかの態様では、局識別情報は、長さが１１ビット未満であり得る。いくつかの態様では、特定のユーザに送信されたデータは、その特定のユーザのための局／ユーザ固有送信制御情報フィールド１０５２と同じ周波数範囲内で送信され得ることに留意されたい。ただし、他の態様では、特定のユーザに送信されたデータは、その特定のユーザのための局／ユーザ固有送信制御情報フィールド１０５２とは異なる周波数範囲内で送信され得る。
【００７５】
[0088]局／ユーザ固有送信制御情報フィールド１０５２ａ〜ｄの各々は、ＣＲＣなど、それ自体の誤り検出値を含み得る。以下の説明は、ユーザ固有送信制御情報フィールド１０５２ａ〜ｄを参照するが、読者は、説明が、周波数範囲１０１０ａ〜ｄ内に含まれる局／ユーザ固有送信制御情報フィールド１０５２のすべてに適用されることを理解されたい。ただし、周波数範囲１０１０ａ〜ｃ中のユーザ固有送信制御情報のための指示は、図の明快のために省略されている。
【００７６】
[0089]いくつかの態様では、局／ユーザ固有送信制御情報フィールド１０５２ａ〜ｄのための誤り検出値の各々は、特定の局のための局識別子に基づき得る。たとえば、いくつかの態様では、中間誤り検出値（たとえばＣＲＣ）が、局の識別子と排他的論理和され得る。いくつかの態様では、誤り検出値と識別子とは同じビット数である。これらの態様では、受信局は、それを対象とする局／ユーザ固有送信制御情報フィールド１０５２ａ〜ｄを正常に復号することが可能であるにすぎない。
【００７７】
[0090]いくつかの態様では、受信ユーザ／局は、図６Ａに関して上記で説明されたのと同様にして、周波数帯域１１０２ａ〜ｄのうちのいずれがそれのユーザ／局固有送信制御情報を含むかを決定し得る。たとえば、マップフィールド９５０は、いくつかの態様ではパケット１０００中に含まれ得る。代替的に、受信局は、別個のＭＡＣシグナリングを介してそれの送信制御情報を含む周波数範囲１０１０ａ〜ｄの指示を受信し得る。代替的に、いくつかの態様では、受信局は、局／ユーザの識別子に基づいて、局／ユーザ固有送信制御情報フィールド１０５２のうちの１つを正常に復号することが可能になるまで、局／ユーザ固有送信制御情報フィールド１０５２の各々を復号し得る。
【００７８】
[0091]いくつかの態様では、パケット１０００を送信するデバイスは、周波数帯域１０１０ａ〜ｄのユーザ／局固有干渉特性に基づいて、局／ユーザ固有送信制御情報フィールド１０５２のロケーションを編成し得る。たとえば、周波数範囲１０１０ａ〜ｄのうちの１つ上でより少ない干渉を経験する局／ユーザは、それらの局／ユーザ固有送信制御情報フィールド１０５２がその周波数上に符号化され得る。
【００７９】
[0092]図６Ａに関して上記で説明されたように、データ１０２４内のユーザ／局固有データは、その特定の局のための局／ユーザ固有送信制御情報フィールド１０５２同じ周波数範囲１０１０ａ〜ｄ上で送信されることもされないこともある。その特定の局のための局／ユーザ固有送信制御情報フィールド１０５２は、いくつかの態様では、その特定の局のためのデータ送信のために使用される周波数を示し得る。
【００８０】
[0093]いくつかの態様では、周波数範囲１０１０ａ〜ｄの各々に割り当てられた等しくない数のＳＴＡがあり得ることに留意されたい。これは、各周波数範囲１０１０ａ〜ｄ中の異なるＳＩＧＢ持続時間につながり得る。いくつかの態様では、各周波数帯域の持続時間が等しくなるように、物理レイヤパンニング(panning)が、周波数範囲１０１０ａ〜ｄのうちの１つまたは複数中で送信されるデータに追加され得る。いくつかの態様では、特定のＳＴＡのためのＨＥ−ＳＩＧＢ情報が、パディングを実施するために繰り返され得る。
【００８１】
[0094]図８Ａは、開示される一実装形態において使用される例示的なフレームフォーマットである。図６Ａおよび図７のパケット９００およびパケット１０００と同様に、パケット１１００は、４つの周波数帯域１１０２ａ〜ｄにわたって送信されるデータを示す。いくつかの態様では、各周波数帯域１１０２ａ〜ｄは２０Ｍｈｚ幅であり得る。たとえば、周波数帯域１１０２ａは０〜２０Ｍｈｚであり得、１１０２ｂは２０Ｍｈｚ〜４０Ｍｈｚであり得、１１０２ｃは４０Ｍｈｚ〜６０Ｍｈｚであり得、１１０２ｄは６０Ｍｈｚ〜８０Ｍｈｚであり得る。
【００８２】
[0095]パケット１１００は、レガシーショートおよびロングトレーニングフィールド、ならびにレガシー信号フィールドを含む、レガシープリアンブル１１０４を含む。パケット１１００は、ＲＬ−ＳＩＧフィールド１１０６と、ＨＥ  ＳＩＧ−Ａフィールド１１０８と、上記で説明されたようにパケット１１００内で行われるマルチユーザ通信に参加するすべてのユーザ／デバイスに共通の情報を含むＨＥ−ＳＩＧＢ共通フィールド１１１０とをも含む。図示のように、フィールド１１０６、１１０８、および１１１０の各々は、周波数帯域１１０２ａ〜ｄの各々にわたって複製される。いくつかの態様では、ＨＥ−ＳＩＧＢ共通フィールド１１１０は、ダウンリンク／アップリンクインジケータ、シングルユーザ／マルチユーザ指示、データＧＩおよびＬＴＦ圧縮インジケータ、パディングビット、ユーザ数インジケータのうちの１つまたは複数を含み得る。いくつかの態様では、ＨＥ−ＳＩＧＢ共通フィールド１１１０は、長さが約１０〜２０ビットであり得る。
【００８３】
[0096]図７のＨＥ−ＳＩＧＢフィールド１０１２と同様に、パケット１１００は、ＨＥ−ＳＩＧＢフィールド１１１２をも含む。ＨＥ−ＳＩＧＢフィールド１１１２の各々は、パケット１１００内で行われるマルチユーザ通信に参加する異なる局のための異なる送信制御情報を含む。周波数帯域１１０２ａ〜ｄ内のＨＥ−ＳＩＧＢフィールド１１１２の各々は、１つまたは複数のユーザに固有の情報を含み得る。ユーザ固有情報は、たとえば、パケット１１００の一部としてユーザに送信されたデータの変調およびコーディング方式の指示、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子を含み得る。いくつかの態様では、識別情報は、局／ユーザの部分識別子、グループ識別子、または他の識別子であり得る。いくつかの態様では、局識別情報は、長さが１１ビット未満であり得る。いくつかの態様では、特定のユーザに送信されたデータは、その特定のユーザＨＥ−ＳＩＧＢフィールド１１１２と同じ周波数範囲内で送信され得ることに留意されたい。ただし、他の態様では、特定のユーザに送信されたデータは、その特定のユーザのためのＨＥ−ＳＩＧＢフィールド１１１２とは異なる周波数範囲内で送信され得る。
【００８４】
[0097]パケット１１００は、ＨＥショートトレーニングフィールド１１１４と、ＨＥロングトレーニングフィールド１１１６と、ＨＥデータ１１１８とをも含む。パケット１１００のいくつかの態様では、ＨＥ−ＳＩＧＢフィールド１１１２は、４ｘトーンプランを使用して送信され得る。４ｘトーンプランの場合、各サブバンドは、８０２．１１ａｃ内で定義されたサブバンドの２５％である。したがって、各シンボル持続時間は、８０２．１１ａｃのシンボル持続時間よりも４倍（４ｘ）長い。これは、各シンボル中のトーンの数の４倍（４ｘ）の増加をもたらす。
【００８５】
[0098]ＨＥ−ＳＩＧＢ４フィールド１１１２を送信するときの４ｘトーンプランの使用は、パケット１１００をカプセル化するＰＰＤＵのために利用される帯域幅に等しくなるような、ＨＥ−ＳＩＧＢフィールド１１１２のために利用される帯域幅の増加をもたらし得る。
【００８６】
[0099]パケット１１００を利用する実装形態では、パケット１１００の受信機によるチャネル推定は、レガシープリアンブル１１０４内のレガシーロングトレーニングフィールドからの補間／外挿を含み得る。
【００８７】
[00100]図８Ｂは、開示される一実装形態において使用される例示的なフレームフォーマットである。図６Ａおよび図７のパケット９００および１０００と同様に、パケット１１５０は、４つの周波数帯域１１５２ａ〜ｄにわたって送信されたデータを示す。いくつかの態様では、各周波数帯域１１５２ａ〜ｄは２０Ｍｈｚ幅であり得る。たとえば、周波数帯域１１５２ａは０〜２０Ｍｈｚであり得、１１５２ｂは２０Ｍｈｚ〜４０Ｍｈｚであり得、１１０２ｃは４０Ｍｈｚ〜６０Ｍｈｚであり得、１１５２ｄは６０Ｍｈｚ〜８０Ｍｈｚであり得る。
【００８８】
[00101]パケット１１５０は、レガシーショートおよびロングトレーニングフィールド、ならびにレガシー信号フィールドを含む、レガシープリアンブル１１５４を含む。パケット１１５０は、ＲＬ−ＳＩＧフィールド１１５６と、ＨＥ  ＳＩＧ−Ａフィールド１１５８と、上記で説明されたようにパケット１１５０内で行われるマルチユーザ通信に参加するすべてのユーザ／デバイスに共通の情報を含むＨＥ−ＳＩＧＢ共通フィールド１１６５とをも含む。図示のように、フィールド１１５６、１１５８、および１１６５の各々は、周波数帯域１１５２ａ〜ｄの各々にわたって複製される。いくつかの態様では、ＨＥ−ＳＩＧＢ共通フィールド１１６５は、ダウンリンク／アップリンクインジケータ、シングルユーザ／マルチユーザ指示、データＧＩおよびＬＴＦ圧縮インジケータ、パディングビット、ユーザ数インジケータのうちの１つまたは複数を含み得る。いくつかの態様では、ＨＥ−ＳＩＧＢ共通フィールド１１６５は、長さが約１０〜２０ビットであり得る。
【００８９】
[00102]図７のＨＥ−ＳＩＧＢフィールド１０１２、および図８Ａの１１１２と同様に、パケット１１５０は、ＨＥ−ＳＩＧＢフィールド１１６２をも含む。ＨＥ−ＳＩＧＢフィールド１１６２の各々は、パケット１１５０内で行われるマルチユーザ通信に参加する異なる局のための異なる送信制御情報を含む。周波数帯域１１５２ａ〜ｄ内のＨＥ−ＳＩＧＢフィールド１１６２の各々は、１つまたは複数のユーザに固有の情報を含み得る。ユーザ固有情報は、たとえば、パケット１１５０の一部としてユーザに送信されたデータの変調およびコーディング方式の指示、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子を含み得る。いくつかの態様では、識別情報は、局／ユーザの部分識別子、グループ識別子、または他の識別子であり得る。いくつかの態様では、局識別情報は、長さが１１ビット未満であり得る。いくつかの態様では、特定のユーザに送信されたデータは、その特定のユーザＨＥ−ＳＩＧＢフィールド１１６２と同じ周波数範囲内で送信され得ることに留意されたい。ただし、他の態様では、特定のユーザに送信されたデータは、その特定のユーザのためのＨＥ−ＳＩＧＢフィールド１１６２とは異なる周波数範囲内で送信され得る。
【００９０】
[00103]パケット１１５０は、ＳＩＧＢロングトレーニングフィールド１１６７と、ＨＥ−ショートトレーニングフィールド１１６４と、ＨＥ−ロングトレーニングフィールド（ＨＥ−ＬＴＦ）１１６６と、ＨＥデータ１１６８とをも含む。パケット１１５０のいくつかの態様では、ＨＥ−ＳＩＧＢフィールド１１６２は、４ｘトーンプランを使用して送信され得る。４ｘトーンプランの場合、各サブバンドは、８０２．１１ａｃ内で定義されたサブバンドの２０％である。したがって、各シンボル持続時間は、８０２．１１ａｃのシンボル持続時間よりも４倍長い。これは、各シンボル中のトーンの数の増加をもたらす。
【００９１】
[00104]ＨＥ−ＳＩＧＢ４フィールド１１１２を送信するときの４ｘトーンプランの使用は、パケット１１００をカプセル化するＰＰＤＵのために利用される帯域幅に等しくなるような、ＨＥ−ＳＩＧＢフィールド１１１２のために利用される帯域幅の増加をもたらし得る。
【００９２】
[00105]パケット１１５０を利用する実装形態では、パケット１１５０の受信機によるチャネル推定はＨＥ−ＬＴＦ１１６６に依拠し得る。ＨＥロングトレーニングフィールド１１６６が、ＨＥ−ＳＩＧＢフィールド１１６２の前にパケット１１５０内に生じるので、それらは、それらのフィールドが４ｘトーンプランを使用するとき、チャネル推定のために使用され、フィールド１１６２を受信するのを支援し得る。いくつかの態様では、ＨＥ−ＬＴＦフィールドは２ｘトーンプランを利用し得る。この場合、ＨＥ−ＳＩＧＢフィールド１１６２が４ｘトーンプランを利用する場合、受信機は、４ｘトーンプランのためのチャネルを推定するために補間／外挿し得る。ＨＥ−ＬＴＦフィールド１１６６が４ｘトーンプランを利用するとき、ＨＥ−ＳＩＧＢフィールド１１６２を受信するために得られたチャネル推定値を使用するときに追加の補間／外挿が必要でないことがある。
【００９３】
[00106]図９は、図１のワイヤレス通信システム１００内で採用され得るワイヤレス通信の例示的な方法のためのフローチャートである。本方法は、図２に示されているワイヤレスデバイス２０２など、本明細書で説明されるデバイスによって全体的にまたは部分的に実装され得る。本明細書では、図示された方法が、図１に関して上記で説明されたワイヤレス通信システム１００、ならびに図６〜図８Ｂに関して上記で説明されたパケット９００、１０００、１１００、１１５０を参照しながら説明されるが、図示された方法は、本明細書で説明される別のデバイス、または任意の他の好適なデバイスによって実装され得ることを、当業者は諒解されよう。本明細書では、図示された方法が、特定の順序に関して説明されるが、様々な実施形態では、本明細書のブロックは、異なる順序で実施されるか、または省略され得、さらなるブロックが追加され得る。
【００９４】
[00107]方法１２００は、たとえば、ＭＵ−ＭＩＭＯまたはＯＦＤＭＡを介して、異なる周波数帯域幅を介してマルチユーザ通信に参加する異なるデバイスに送信制御情報を送信する方法である。このようにして送信制御情報を多重化することによって、ワイヤレス媒体の帯域幅が、一般に、マルチユーザ通信中にいくつかの帯域幅を介した送信制御に関係するデータの送信を複製する既存の技法と比較して、より効率的に利用され得る。
【００９５】
[00108]ブロック１２０２において、第１のデバイスに固有の第１のマルチユーザ送信制御情報を生成する。いくつかの態様では、第１の送信制御情報は、たとえば、ＭＵ−ＭＩＭＯまたはＯＦＤＭＡを使用する、マルチユーザ通信のための送信制御情報であり得る。いくつかの態様では、第１のマルチユーザ送信制御情報は、パケット９００、１０００、１１００、または１１５０の一部としてユーザに送信されたデータの変調およびコーディング方式の指示、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子のうちの１つまたは複数など、１つまたは複数の送信パラメータを含み得る。いくつかの態様では、識別情報は、局／ユーザの部分ＡＩＤ識別子、グループ識別子、または他の識別子であり得る。いくつかの態様では、局識別情報は、長さが１１ビット未満であり得る。いくつかの態様では、第１のマルチユーザ送信制御情報および／または第２のマルチユーザ送信制御情報のいずれかは、それの上でデータ通信がそれぞれの第１のデバイスおよび第２のデバイスの各々のために行われ得る、データチャネルまたはデータ送信周波数を示し得る。
【００９６】
[00109]いくつかの態様では、固有デバイスのための送信制御情報を生成することは、中間送信制御情報のための誤り検出値を生成することを含む。たとえば、誤り検出値は、パケット９００、１０００、１１００、または１１５０ａの一部としてユーザに送信されたデータの変調およびコーディング方式の指示、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子のうちの１つまたは複数を含む、１つまたは複数の送信パラメータなど、送信制御情報に基づいて生成され得る。第２の誤り検出値が、次いで、固有デバイスのための誤り検出値および識別子に基づいて生成され得る。いくつかの態様では、第２の誤り検出値は、識別子を第１の誤り検出値と排他的論理和することによって生成される。いくつかの態様では、これは、識別子と第１の誤り検出値とが同じビット長を有することによって可能にされ得る。いくつかの態様では、第１の誤り検出値は、第１のマルチユーザ送信制御情報のための巡回冗長検査値である。送信制御情報は、次いで、第２の誤り検出値を含む。局識別子に基づく誤り検出値を与えることによって、この設計は、その識別子をもつデバイスのみが送信制御情報を正常に復号することが可能であり得ることを与える。いくつかの態様では、ブロック１２０２は、送信機２１０および／またはプロセッサ２０４によって実施され得る。
【００９７】
[00110]いくつかの態様では、第１のマルチユーザ送信制御情報は、第３のデバイスに固有の送信制御情報をも含むように生成される。たとえば、いくつかの態様では、第１のマルチユーザ送信制御情報は、第１のデバイスと第３のデバイスの両方のための情報を含み得る。第１のマルチユーザ送信制御情報は、次いで、巡回冗長検査など、誤り検出値を介して保護され得る。
【００９８】
[00111]ブロック１２０４において、第２のデバイスに固有の第２のマルチユーザ送信制御情報を生成する。いくつかの態様では、第２のマルチユーザ送信制御情報は、情報が第２のデバイスに固有であることを除いて、上記の第１のマルチユーザ送信制御情報関して説明されたデータのうちの１つまたは複数を含み得る。いくつかの態様では、第１の送信制御情報は、第１の周波数範囲とは異なる、第１のデバイスのためのデータ送信周波数を示し得る。いくつかの態様では、ブロック１２０４は、送信機２１０および／またはプロセッサ２０４によって実施され得る。
【００９９】
[00112]いくつかの態様では、第１のマルチユーザ送信制御情報は、第２のマルチユーザ送信制御情報内に符号化された数のユーザとは異なる数のユーザのための送信制御パラメータを符号化し得る。その結果、第１のマルチユーザ送信制御情報と第２のマルチユーザ送信制御情報とは、異なる長さのものであり得る。それらが異なる周波数を介して送信されるので、いくつかの態様では、第１のマルチユーザ送信制御情報と第２のマルチユーザ送信制御情報とが等しい長さのものであり、および／または送信されたときにワイヤレスネットワーク上の時間の等しい量を占有するように、より短いフィールドがパディングされ得る。
【０１００】
[00113]ブロック１２０６において、ワイヤレスフレームの送信を開始する。フレームの送信は、第１の周波数範囲を介して第１のマルチユーザ送信制御情報を送信する間、第２の周波数範囲を介して第２のマルチユーザ送信制御情報の少なくとも一部分を同時に送信することを含み得る。たとえば、図６Ａ〜図８Ｂに関して上記で説明されたように、ＨＥ−ＳＩＧフィールド９１２、１０２２、および１１１２は、異なる周波数帯域幅を介して送信され得る。いくつかの態様では、ブロック１２０６は、送信機２１０および／またはプロセッサ２０４によって実施され得る。
【０１０１】
[00114]ブロック１２０８において、第１のマルチユーザ送信制御情報に従って第１のデバイスに第１の（ユーザ）データを送信する。たとえば、第１のデータは、第１の送信制御情報中で示された周波数範囲を介して第１のデバイスに送信され得る。
【０１０２】
[00115]ブロック１２１０において、第２のマルチユーザ送信制御情報に従って第２のデバイスに第２の（ユーザ）データを送信する。たとえば、第２のデータは、第２の送信制御情報中で示された周波数範囲を介して第２のデバイスに送信され得る。いくつかの態様では、送信制御情報は、データとは異なる周波数範囲を介して送信される。
【０１０３】
[00116]たとえば、第１および第２のデータは、送信されたワイヤレスフレームによって達成されるマルチユーザ通信の一部であり得る。たとえば、第１および第２のデータは、ＭＵ−ＭＩＭＯまたはＯＦＤＭＡを使用して送信され得る。マルチユーザ通信は、第１および第２のマルチユーザ送信制御情報、ならびにマルチユーザ通信に参加するすべての局／ユーザに共通のワイヤレスフレーム中に含まれる情報によって制御され得る。いくつかの態様では、たとえば、図６Ａ〜図８Ｂに関して上記で説明されたように、ＨＥ−ＳＩＧＢ共通フィールド９１０、１０２０、および１１１０は、ダウンリンク／アップリンクインジケータ、シングルユーザ／マルチユーザ指示、データＧＩおよびＬＴＦ圧縮インジケータ、パディングビット、ユーザ数インジケータのうちの１つまたは複数を含み得る。図６Ａ〜図８Ｂに関して上記で説明されたように、共通送信制御情報が、第１の周波数範囲と第２の周波数範囲の両方を介して送信され得る。言い換えれば、共通送信制御情報は、２つの周波数範囲を介して重複して送信され得る。
【０１０４】
[00117]いくつかの態様では、方法１２００はまた、第１のマルチユーザ送信制御情報が第１の周波数範囲を介して送信されることを示す第２のワイヤレスフレームを第１のデバイスに送信することを含む。これらの態様のうちのいくつかでは、各ＳＴＡ固有送信制御情報がワイヤレスフレーム内のどこに位置を特定されるのかに関して、マルチユーザ通信に参加するＳＴＡのうちの１つまたは複数に示すために、ＭＡＣレベルのシグナリングが使用され得る。たとえば、シグナリングは、それを介して局固有送信制御情報が送信される周波数範囲、および／または局固有送信制御情報の位置を特定されたワイヤレスフレーム内のオフセットのうちの１つまたは複数を示し得る。いくつかの態様では、ブロック１２０８および／または１２１０は、送信機２１０および／またはプロセッサ２０４によって実施され得る。
【０１０５】
[00118]いくつかの態様では、第１および第２のマルチユーザ送信制御情報は、４ｘトーンプランを使用して送信される。図８Ａに関して上記で説明されたように、いくつかの態様では、レガシーショートトレーニングフィールドおよびロングトレーニングフィールドがチャネル推定のために使用され得る。受信デバイスによる送信制御情報の受信は、これらのチャネル推定に基づき得る。いくつかの態様では、１つまたは複数のロングトレーニングフィールドは、２ｘトーンプランまたは４ｘトーンプランのいずれかを使用して生成され得る。（１つまたは複数の）ロングトレーニングフィールドは、ワイヤレスフレーム内の第１および第２のマルチユーザ送信制御情報の前に、ワイヤレスフレームの一部として送信され得る。これは、第１および第２のマルチユーザ送信制御情報が４ｘトーンプランを使用して送信されるとき、特に有用であり得る。ロングトレーニングフィールドは、チャネル推定を実施するために受信機によって使用され得、送信制御情報の正確な受信を支援し得る。いくつかの態様では、ロングトレーニングフィールドは、ビームフォーミング情報を含まないように生成される。いくつかの態様では、ロングトレーニングフィールドは、第１および／または第２のデータに等しい圧縮ファクタを用いて生成される。
【０１０６】
[00119]いくつかの態様では、方法１２００は、第１のデバイスと第２のデバイスの両方に共通であるマルチユーザ送信制御情報を生成することを含む。フレームが送信されるとき、共通マルチユーザ送信制御情報は、第１の周波数範囲と第２の周波数範囲の両方を介して重複して送信され得る。さらに、第１および第２のデータは、共通送信制御情報に従って送信される。
【０１０７】
[00120]図１０は、図１のワイヤレス通信システム１２０内で採用され得るワイヤレス通信の例示的な方法のためのフローチャートである。本方法は、図２に示されているワイヤレスデバイス２０２など、本明細書で説明されるデバイスによって全体的にまたは部分的に実装され得る。本明細書では、図示された方法が、図１に関して上記で説明されたワイヤレス通信システム１００、ならびに図６Ａ〜図８Ｂに関して上記で説明されたパケット９００、１０００、１１００、および１１５０を参照しながら説明されるが、図示された方法は、本明細書で説明される別のデバイス、または任意の他の好適なデバイスによって実装され得ることを、当業者は諒解されよう。本明細書では、図示された方法が、特定の順序に関して説明されるが、様々な実施形態では、本明細書のブロックは、異なる順序で実施されるか、または省略され得、さらなるブロックが追加され得る。
【０１０８】
[00121]方法１３００は、マルチユーザ通信中にデータを受信するデバイスが、様々な周波数を介して、マルチユーザ通信中のデータの受信を制御する送信制御情報を受信することを可能にする。様々な周波数を介して送信制御情報を受信することが可能になることによって、マルチユーザ通信の送信機が、それらの周波数上でより最適なチャネル状態を経験するデバイスに送信周波数を割り振ることにおけるフレキシビリティを獲得する。さらに、異なるユーザのための送信制御情報が異なる周波数を介して同時に送信され得るので、ワイヤレス媒体の全体的利用は知られている技法に対して改善される。
【０１０９】
[00122]ブロック１３０４において、プリアンブルとデータ部分とを含むワイヤレスフレームを受信する。プリアンブルは、第１の周波数範囲内の第１の送信制御情報と第２の周波数範囲内の第２の送信制御情報とを含む。いくつかの態様では、第１の送信制御情報は第１のマルチユーザ送信制御情報であり得、第２の送信制御情報は第２のマルチユーザ送信制御情報であり得る。データ部分は、第３の周波数範囲上の第１のデータと第４の周波数範囲上の第２のデータとを符号化し得る。いくつかの態様では、第１の周波数範囲は第３の周波数範囲に等しくなり得る。いくつかの態様では、第２の周波数範囲は第４の周波数範囲に等しくなり得る。
【０１１０】
[00123]たとえば、図６Ａ、図７、図８Ａ〜図８Ｂのうちのいずれかにおいて上記に示されたように、様々なＨＥ−ＳＩＧＢフィールド９１２、１０２２／１０５２ａ〜ｄ、１１１２、および１１６２は単一の送信内で複数の周波数帯域にわたって送信され得る。たとえば、デバイスの第１のセットのための第１の送信制御情報が第１の周波数範囲内で送信され得、第２の送信制御情報が第２の周波数範囲内で送信され得る。２つの周波数範囲は重複しないことがある。複数の周波数帯域の各々は２０Ｍｈｚ幅であり得る。たとえば、複数の周波数帯域は、０〜２０Ｍｈｚと、２０Ｍｈｚ〜４０Ｍｈｚと、４０Ｍｈｚ〜６０Ｍｈｚと、６０Ｍｈｚ〜８０Ｍｈｚとを含み得る。いくつかの態様では、ブロック１３０４は、受信機２１２および／またはプロセッサ２０４によって実施され得る。
【０１１１】
[00124]ブロック１３０６において、第１の送信制御情報を復号する。復号は、さらなる処理のための入力として使用されるフレームの関連するデータ部分を識別するために、ワイヤレスフレームをパースすることを含み得る。いくつかの態様では、復号はデバイスの識別子に基づく。たとえば、いくつかの態様では、復号は、受信デバイスのＡＩＤ、ＰＡＩＤ、またはグループＩＤに基づき得る。たとえば、第１のマルチユーザ送信制御情報のための誤り検出値が、デバイス識別子と排他的論理和され得る。得られた値が、第１のマルチユーザ送信制御情報の完全性（integrity）を検証するために使用され得る。たとえば、得られた値は、第１のマルチユーザ送信制御情報のための巡回冗長検査値であり得る。
【０１１２】
[00125]いくつかの態様では、第１の送信制御情報は、４ｘトーンプランを使用して復号される。いくつかの態様では、受信されたワイヤレスフレーム中に含まれる１つまたは複数のレガシーショートおよび／またはロングトレーニングフィールドに基づいて、チャネル推定が決定され得る。チャネル推定は、４ｘトーンプランにおいて第１の送信制御情報を復号するために補間／外挿され得る。いくつかの他の態様では、１つまたは複数のロングトレーニングフィールドはワイヤレスフレームから復号され得る。ロングトレーニングフィールドは、２Ｘトーンプランまたは４ｘトーンプランのいずれかを使用していることがある。２Ｘトーンプランを使用してロングトレーニングフィールドを受信する実施形態では、チャネル推定を形成するときに追加の補間／外挿が実施され得る。チャネル推定は、送信制御情報を受信するために使用され得る。４ｘトーンプランを使用してロングトレーニングフィールドを受信する実施形態では、得られたチャネル推定は、４ｘトーンプランを使用して送信制御情報を適切に受信するために使用されるときにより少ない補間／外挿を必要とし得る。いくつかの態様では、ブロック１３０６はプロセッサ２０４によって実施され得る。
【０１１３】
[00126]いくつかの態様では、第２の周波数範囲内のマルチユーザ第２のマルチユーザ送信制御情報も復号される。たとえば、第１の送信制御情報が受信デバイスを識別しない場合、受信デバイスは、受信デバイスが第２の送信制御情報で識別されるかどうかを決定するために第２のマルチユーザ送信制御情報を復号し得る。第２のマルチユーザ送信制御情報は、識別されたデバイスのための（１つまたは複数の）データ送信周波数範囲を識別し得る。いくつかの態様では、復号は、第２の送信制御情報内のデータが、ＣＲＣなど、誤り検出値に従うことを検証することを含む。いくつかの態様では、誤り検出値は、デバイスの識別子と排他的論理和され得、その後、得られた値が、第２のマルチユーザ送信制御情報の一貫性を検証するために使用される。いくつかの態様では、復号された送信制御情報は、次いで、受信デバイスに適用され得る送信制御情報の一部分を識別するためにパースされ得る。たとえば、いくつかの態様では、受信されたフレームは、受信デバイスに固有の送信制御情報が見つけられ得る受信されたフレーム内の位置を定義するマップを含み得る。いくつかの他の態様では、受信デバイスを識別する情報が、ワイヤレスフレーム中のそれの固有送信制御情報に先行して見つけられ得る。
【０１１４】
[00127]ブロック１３０８において、復号された送信制御情報に基づいてデータ部分を復号する。たとえば、第１および／または第２の送信制御情報は、ワイヤレスフレームの一部としてユーザに送信されたデータを符号化する周波数範囲の指示、ワイヤレスフレームの一部としてユーザに送信されたデータの変調およびコーディング方式、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子のうちの１つまたは複数を示し得る。いくつかの態様では、識別情報は、局／ユーザの部分識別子、グループ識別子、または他の識別子であり得る。いくつかの態様では、ブロック１３０８はプロセッサ２０４によって実施され得る。
【０１１５】
[00128]いくつかの態様では、送信制御情報がデバイスに送信される周波数範囲が第１の周波数範囲であることを示すワイヤレスメッセージが受信される。少なくとも図６Ａおよび図７に関して上記で説明されたように、受信されたワイヤレスフレームのどの周波数帯域が受信ユーザ／局に固有の送信制御情報を含むかを受信ユーザ／局に示すために、別個のシグナリングが利用され得る。たとえば、いくつかの態様では、ＭＡＣシグナリングが使用され得る。これらの態様では、各ＳＴＡは、受信されたワイヤレスフレームによって利用される総帯域幅のサブセットのみを復号し得る。
【０１１６】
[00129]ブロック１３０８においてデータ部分が復号された後、それは、ワイヤレスフレームを受信するデバイスの様々な機能を実施するために使用され得る。たとえば、いくつかの態様では、ブロック１３０８において復号されているデータの部分は、デバイスのスクリーン上に表示されるべきビデオデータを表し得る。ブロック１３０８においてデータ部分を復号することによって、スクリーン上でのデータの表示が行われ得る。いくつかの態様では、ブロック１３０８において復号されたデータの部分は、セルラー通話のオーディオ部分など、オーディオデータを表し得る。ブロック１３０８においてデータ部分を復号することによって、オーディオは、通話上のユーザがその通話の別の当事者を聴取することを可能にするために、デバイスのスピーカーを通して再生され得る。いくつかの態様では、ブロック１３０８において復号されたデータの少なくとも部分は、デバイスのユーザによるウェブブラウジングアクティビティに応答して受信されたデータを表し得る。ブロック１３０８においてデータ部分を復号することによって、データがウェブブラウザによる処理のために準備され得る。上記の説明は、ブロック１３０８が、たとえば、ビデオデータを表示するか、オーディオデータを再生するか、またはブラウザのためのデータを準備するために必要とされるステップのすべてを含むことを暗示するものではない。代わりに、これは、ブロック１３０８におけるデータの復号が、デバイスが様々な機能を実施することをどのように可能にするかの例を与えるために与えられる。概して、ブロック１３０８におけるデータの復号は、受信デバイスに宛てられたメッセージが、受信されたワイヤレスフレームから適切に抽出され、受信デバイスの汎用メモリに記憶されたときに完了される。
【０１１７】
[00130]図１１は、図１のワイヤレス通信システム１２０内で採用され得るワイヤレス通信の例示的な方法のためのフローチャートである。本方法は、図２に示されているワイヤレスデバイス２０２など、本明細書で説明されるデバイスによって全体的にまたは部分的に実装され得る。本明細書では、図示された方法が、図１に関して上記で説明されたワイヤレス通信システム１００、ならびに図６Ａ〜図８Ｂに関して上記で説明されたパケット９００、１０００、１１００、および１１５０を参照しながら説明されるが、図示された方法は、本明細書で説明される別のデバイス、または任意の他の好適なデバイスによって実装され得ることを、当業者は諒解されよう。本明細書では、図示された方法が、特定の順序に関して説明されるが、様々な実施形態では、本明細書のブロックは、異なる順序で実施されるか、または省略され得、さらなるブロックが追加され得る。
【０１１８】
[00131]方法１４００は、フレーム中に含まれるデバイス固有送信制御情報のための位置情報を含むワイヤレスフレームを生成および送信する。たとえば、マルチユーザ通信は、複数のデバイスにデータを送信し得る。それらの複数のデバイスの各々は、マルチユーザ通信をサポートするためにデバイス固有送信制御情報を必要とし得る。各デバイスのためのデバイス固有送信制御情報は、ワイヤレスフレーム内の特定のオフセットに位置を特定され得る。位置情報は、特定のデバイスのための送信制御情報がフレーム内のどこに位置を特定されるかのディレクトリ(directory)を与え得る。デバイスがそのようなフレームを受信したとき、デバイスは、それのデバイス固有送信制御情報を見つけるために、フレーム中のどこに行くべきであるかを決定するために、位置情報を復号し得る。特定のデバイスのための送信制御情報がフレーム内のどこに位置を特定されるかの位置またはインデックスを与えることによって、受信デバイスは、それの固有送信制御情報を識別する前に、含まれた送信制御情報のすべてを探索する必要がないので、処理効率が増加し得る。
【０１１９】
[00132]いくつかの態様では、位置情報は、特定の受信ユーザ／局とそれらのそれぞれの送信制御情報のロケーションとを識別するフレームの連続部分であり得る、マップの形態をとり得る。
【０１２０】
[00133]いくつかの態様では、位置情報は、受信されたフレーム中に含まれる複数のＨＥ−ＳＩＧＢフィールド中に含まれ得る。いくつかの態様では、位置情報は、フレーム中の送信制御情報に先行し得る。たとえば、いくつかの態様では、デバイスの識別子は、そのデバイスのための送信制御情報の直前に来ることがある。
【０１２１】
[00134]ブロック１４０２において、第１のデバイスのための第１のマルチユーザ送信制御情報を生成する。いくつかの態様では、送信制御情報は、（以下で説明される）ワイヤレスフレームの一部としてユーザに送信されたデータの変調およびコーディング方式の指示、コーディングインジケータ、時空間ストリーム数インジケータ（Ｎｓｔｓ）、時空間ボックコード（ＳＴＢＣ）指示、送信ビームフォーミング（ＴｘＢＦ）指示、局／ユーザの識別子のうちの１つまたは複数を含み得る。いくつかの態様では、識別情報は、局／ユーザの部分識別子、グループ識別子、または他の識別子であり得る。いくつかの態様では、第１のマルチユーザ送信制御情報は、第１のＨＥ−ＳＩＧＢフィールド内に生成／符号化される。いくつかの態様では、第１のマルチユーザ送信制御情報は、第３のデバイスのための送信制御情報を含むように生成され得る。いくつかの態様では、ブロック１４０２はプロセッサ２０４によって実施され得る。
【０１２２】
[00135]ブロック１４０４において、第２のデバイスのための第２のマルチユーザ送信制御情報を生成する。第２のマルチユーザ送信制御情報は、ブロック１４０２において生成される第１のマルチユーザ送信制御情報と同様に構成され得る。いくつかの態様では、第２のマルチユーザ送信制御情報は、第２のＨＥ−ＳＩＧＢフィールド内に生成され／含まれる。いくつかの態様では、第２のマルチユーザ送信制御情報はまた、第４のデバイスのためのマルチユーザ送信制御パラメータを含み得る。
【０１２３】
[00136]いくつかの態様では、第１および第２のマルチユーザ送信制御情報の各々は、誤り検出値を含み得る。いくつかの態様では、誤り検出値は、対応する送信制御情報に基づき得る。いくつかの態様では、誤り検出値は、対応するデバイスの識別子にも基づき得る。たとえば、第１のマルチユーザ送信制御情報のための誤り検出値は、第１のデバイスの識別子に基づき得る。第２のマルチユーザ送信制御情報のための誤り検出値は、第２のデバイスのための識別子に基づき得る。たとえば、いくつかの態様では、デバイスの識別子は、誤り検出値を形成するために、送信制御情報のためのＣＲＣと排他的論理和され得る。いくつかの態様では、識別子と誤り検出値とは等しいビット数を備え得る。いくつかの態様では、ブロック１４０４はプロセッサ２０４によって実施され得る。
【０１２４】
[00137]ブロック１４０６において、ワイヤレスフレーム内の第１のデバイスのための送信制御情報の位置と第２のデバイスのための送信制御情報の位置とを示す位置情報を生成する。たとえば、いくつかの態様では、図５に関して上記で説明されたように、マップフィールド８０７は、以下のブロック１４０８において生成されるワイヤレスフレームによって実施されるマルチユーザ通信に参加する各局のための局固有送信制御情報を与える（以下で説明される）ワイヤレスフレーム内のオフセットを示し得る。いくつかの態様では、ブロック１４０６はプロセッサ２０４によって実施され得る。いくつかの他の態様では、位置情報を生成することは、ワイヤレスフレーム中に含むように複数のＨＥ−ＳＩＧＢフィールドを生成することを含み得る。各ＨＥ−ＳＩＧＢフィールドは、１つまたは複数のデバイスのための送信制御情報を含み得る。いくつかの態様では、局の識別子は、関連する送信制御情報とともに符号化される。
【０１２５】
[00138]ブロック１４０８において、位置情報と第１および第２のマルチユーザ送信制御情報とを備えるようにワイヤレスフレームを生成する。ワイヤレスフレームは、ＭＵ−ＭＩＭＯおよび／またはＯＦＤＭＡのうちの少なくとも１つを使用して複数の宛先デバイスへのマルチユーザ通信を実施するように生成され得る。マルチユーザ通信中に含まれる第１のデバイスおよび第２のデバイスの各々のためのデータが、第１のマルチユーザ送信制御情報および第２のマルチユーザ送信制御情報中に与えられた情報に従って送信され得る。いくつかの態様では、ブロック１４０８はプロセッサ２０４によって実施され得る。
【０１２６】
[00139]ブロック１４１０において、ワイヤレスフレームを送信する。いくつかの態様では、ブロック１４１０は、送信機２１０および／またはプロセッサ２０４によって実施され得る。
【０１２７】
[00140]図１２は、図１のワイヤレス通信システム１２０内で採用され得るワイヤレス通信の例示的な方法のためのフローチャートである。本方法は、図２に示されているワイヤレスデバイス２０２など、本明細書で説明されるデバイスによって全体的にまたは部分的に実装され得る。本明細書では、図示された方法が、図１に関して上記で説明されたワイヤレス通信システム１００、ならびに図６Ａ〜図８Ｂに関して上記で説明されたパケット９００、１０００、１１００、および１１５０を参照しながら説明されるが、図示された方法は、本明細書で説明される別のデバイス、または任意の他の好適なデバイスによって実装され得ることを、当業者は諒解されよう。本明細書では、図示された方法が、特定の順序に関して説明されるが、様々な実施形態では、本明細書のブロックは、異なる順序で実施されるか、または省略され得、さらなるブロックが追加され得る。
【０１２８】
[00141]方法１５００は、マップ情報を含むワイヤレスフレームの復号を提供する。マップ情報は、受信デバイスに固有の送信制御情報がフレーム内のどこに位置を特定され得るかを受信デバイスに示す。位置を特定されると、受信デバイスは、受信されたフレームによって実施されるマルチユーザ通信の一部としてデータを受信するために、それに固有の送信制御情報を復号することができる。受信デバイスはそれの特定の送信制御情報のためのフレームを探索する必要がないので、性能が改善され得る。
【０１２９】
[00142]ブロック１５０２において、ワイヤレスフレームを受信する。ワイヤレスフレームは、複数のワイヤレスデバイスのための、マルチユーザ送信制御情報と、対応する送信されたデータとを含む。
【０１３０】
[00143]ブロック１５０４において、ワイヤレスデバイスのためのマルチユーザ送信制御情報のワイヤレスフレーム内のロケーションを識別するためにワイヤレスフレームを復号する。いくつかの態様では、ワイヤレスフレームは、受信デバイスに固有の送信制御情報のフレーム内の位置を示すマップ情報を含む。たとえば、図５の例に関して上記で説明されたように、マップフィールド８０７は、デバイス固有送信制御情報の位置を特定され得る受信されたワイヤレスフレーム内のオフセットを示し得る。いくつかの態様では、ブロック１５０２はプロセッサ２０４によって実施され得る。
【０１３１】
[00144]いくつかの他の態様では、受信デバイスを識別する情報は、たとえば、送信制御情報内の複数のＨＥ−ＳＩＧＢフィールドのうちの１つ中で見つけられ得る。たとえば、図４に示されているように、受信されたフレームは複数のＨＥ−ＳＩＧＢフィールドを含み得、それのうちの１つは、受信されたデバイスに関係する情報を含み得る。いくつかの態様では、ブロック１５０４はプロセッサ２０４によって実施され得る。
【０１３２】
[00145]いくつかの態様では、受信デバイスは、それが、受信デバイスのための送信制御情報を含むＨＥ−ＳＩＧＢフィールドを識別するまで、複数のＨＥ−ＳＩＧＢフィールドの各々を通してパースし得る。
【０１３３】
[00146]いくつかの態様では、（ＳＴＡ  ＩＤまたはＰＩＤなど）局の識別子は、それぞれのＳＴＡのための関連するＳＩＧＢ情報とともにフレーム内に符号化される。
【０１３４】
[00147]ブロック１５０６において、識別されたロケーションにおける送信制御情報を復号する。いくつかの態様では、復号は、送信制御情報のための誤り検出値を、巡回冗長検査など、送信制御情報から導出された値と比較することを備える。
【０１３５】
[00148]いくつかの態様では、送信制御情報は、受信デバイスの識別子に基づいて復号される。たとえば、誤り検出値は、送信制御情報の残りの部分のためのＣＲＣであり得る、第２の誤り検出値を生成するために、受信デバイスの識別子と排他的論理和され得る。いくつかの態様では、ブロック１５０６はプロセッサ２０４によって実施され得る。
【０１３６】
[00149]ブロック１５０８において、復号された送信制御情報に基づいて、受信デバイスに宛てられたデータを受信する。たとえば、復号された送信制御情報は、ワイヤレスフレームの一部として受信デバイスに送信されたデータの変調およびコーディング方式、コーディングインジケータ、時空間ストリーム数インジケータ（Ｎｓｔｓ）、時空間ボックコード（ＳＴＢＣ）指示、送信ビームフォーミング（ＴｘＢＦ）指示、および／または局／ユーザの識別子のうちの１つまたは複数を示し得る。いくつかの態様では、識別情報は、局／ユーザの部分識別子、グループ識別子、または他の識別子であり得る。いくつかの態様では、ブロック１５０８は、受信機２１２および／またはプロセッサ２０４によって実施され得る。
【０１３７】
[00150]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３８】
[00151]本開示で説明された実装形態への様々な修正は当業者には容易に明らかであり得、本明細書で定義された一般原理は、本開示の趣旨または範囲から逸脱することなく他の実装形態に適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明されたいかなる実装形態も、必ずしも他の実装形態よりも好ましいまたは有利であると解釈されるべきであるとは限らない。
【０１３９】
[00152]また、別個の実装形態に関して本明細書で説明されたいくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、いくつかの場合にはその組合せから削除され得、請求される組合せは、部分組合せ、または部分組合せの変形形態を対象とし得る。
【０１４０】
[00153]上記で説明された方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示されているどの動作も、その動作を実施することが可能な対応する機能的手段によって実施され得る。
【０１４１】
[00154]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、ＦＰＧＡまたは他のプログラマブル論理デバイス（ＰＬＤ）、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４２】
[00155]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含むことができる。さらに、いくつかの態様では、コンピュータ可読媒体は一時的コンピュータ可読媒体（たとえば、信号）を含むことができる。上記の組合せもコンピュータ可読媒体の範囲内に含まれ得る。
【０１４３】
[00156]本明細書で開示される方法は、説明された方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０１４４】
[00157]さらに、本明細書で説明された方法および技法を実施するためのモジュールおよび／または他の適切な手段は、適用可能な場合にユーザ端末および／または基地局によってダウンロードされ、および／または他の方法で取得され得ることを諒解され得る。たとえば、そのようなデバイスは、本明細書で説明された方法を実施するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【０１４５】
[00158]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  ワイヤレスネットワークを介してワイヤレスフレームを送信する方法であって、
第１のデバイスのための第１の送信制御情報を生成することと、
第２のデバイスのための第２の送信制御情報を生成することと、
前記ワイヤレスフレームを送信することと、
を備え、ここにおいて、前記送信することは、
第１の周波数範囲で前記第１の送信制御情報の少なくとも一部分を送信するのと同時に、前記第１の周波数範囲と重複しない第２の周波数範囲を介して前記第２の送信制御情報の少なくとも一部分を送信することと、
前記第１の送信制御情報に従って前記第１のデバイスに第１のデータを送信することと、
前記第２の送信制御情報に従って前記第２のデバイスに第２のデータを送信することと、
を備える、方法。
［Ｃ２］  前記第１の周波数範囲とは異なる、前記第１のデバイスのためのデータ送信周波数範囲を示すために前記第１の送信制御情報を生成することと、
前記示されたデータ送信周波数範囲内で前記第１のデバイスに前記第１のデータを送信することと、
をさらに備える、Ｃ１に記載の方法。
［Ｃ３］  直交周波数分割多元接続（ＯＦＤＭＡ）を使用して、マルチユーザ通信を実行するために、前記ワイヤレスフレームを生成することをさらに備える、Ｃ１に記載の方法。
［Ｃ４］  前記第１のデバイスと前記第２のデバイスとのための共通送信制御情報を生成することをさらに備え、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、Ｃ１に記載の方法。
［Ｃ５］  第３のワイヤレスデバイスのための送信パラメータを定義するために、前記第１の送信制御情報を生成することをさらに備える、Ｃ１に記載の方法。
［Ｃ６］  前記第１の送信制御情報が前記第１の周波数範囲で送信されることを示す第２のワイヤレスフレームを前記第１のデバイスに送信することをさらに備える、Ｃ１に記載の方法。
［Ｃ７］  前記ワイヤレスフレームのプリアンブルのＨＥ−ＳＩＧＢフィールド中に前記第１の送信制御情報を生成することと、
前記ワイヤレスフレームの前記プリアンブルの前記ＨＥ−ＳＩＧＢフィールド中に前記第２の送信制御情報を生成することと、
をさらに備え、ここにおいて、前記送信することは、前記第１の周波数範囲中に前記第１の送信制御情報、および前記第２の周波数範囲中に前記第２の送信制御情報を含むように前記ＨＥ−ＳＩＧＢフィールドを送信することを備える、
Ｃ１に記載の方法。
［Ｃ８］  前記第１の周波数範囲が２０Ｍｈｚ幅であり、前記第２の周波数範囲が２０Ｍｈｚ幅である、Ｃ７に記載の方法。
［Ｃ９］  ワイヤレスネットワークからワイヤレスデバイスによってワイヤレスデータを受信する方法であって、
前記ワイヤレスデバイスによって、プリアンブルとデータ部分とを含むワイヤレスフレームを受信することと、前記プリアンブルは、第１の周波数範囲内に第１の送信制御情報、および第２の周波数範囲内に第２の送信制御情報を備え、前記データ部分は、第３の周波数範囲内に第１のデータ、および第４の周波数範囲内に第２のデータを符号化する、  前記ワイヤレスデバイスが前記第１の送信制御情報によって識別されるかどうかを決定するために、前記第１の送信制御情報を復号することと、
前記復号された第１の送信制御情報が前記ワイヤレスデバイスを識別することに応答して、前記第１のデータを復号することと、
を備える、方法。
［Ｃ１０］  前記第１の送信制御情報が前記ワイヤレスデバイスを識別しないことに応答して、前記第２の送信制御情報を復号することと、
前記第２の送信制御情報が前記ワイヤレスデバイスを識別することに応答して、前記第２のデータを復号することと、
をさらに備える、Ｃ９に記載の方法。
［Ｃ１１］  前記第１の送信制御情報の前記復号に基づいて、前記データ部分中の前記ワイヤレスデバイスに宛てられたデータを符号化する周波数範囲を決定することと、
前記第３の周波数範囲が、前記ワイヤレスデバイスに宛てられたデータを符号化すると決定することに応答して、前記第１のデータを復号することと、
をさらに備える、Ｃ９に記載の方法。
［Ｃ１２］  前記第１の送信制御情報は前記第１の周波数範囲内で受信され、前記第２の送信制御情報は前記第２の周波数範囲内で受信され、両方はＨＥ−ＳＩＧＢフィールド内に符号化される、Ｃ９に記載の方法。
［Ｃ１３］  前記ワイヤレスデバイスに固有の送信制御情報を識別するために、前記ワイヤレスデバイスの識別子に基づいて前記第２の送信制御情報をパースすることをさらに備える、Ｃ９に記載の方法。
［Ｃ１４］  ４ｘトーンプランを使用して前記第１の送信制御情報を復号することをさらに備える、Ｃ９に記載の方法。
［Ｃ１５］  ワイヤレスネットワークを介してワイヤレスフレームを送信するための装置であって、  電子ハードウェアプロセッサと、
前記電子ハードウェアプロセッサに動作可能に接続された、電子ハードウェアメモリと、
を備え、前記電子ハードウェアメモリは、実行されたとき、前記電子ハードウェアプロセッサに、
第１のデバイスのための第１の送信制御情報を生成することと、
第２のデバイスのための第２の送信制御情報を生成することと、
前記ワイヤレスフレームを送信することと、
を行わせる命令を記憶し、ここにおいて、前記送信することは、
第１の周波数範囲で前記第１の送信制御情報の少なくとも一部分を送信するのと同時に、前記第１の周波数範囲と重複しない第２の周波数範囲で前記第２の送信制御情報の少なくとも一部分を送信することと、
前記第１の送信制御情報に従って前記第１のデバイスに第１のデータを送信することと、
前記第２の送信制御情報に従って前記第２のデバイスに第２のデータを送信することと、
を備える、装置。
［Ｃ１６］  前記電子ハードウェアメモリは、実行されたとき、前記電子ハードウェアプロセッサに、
前記第１の周波数範囲とは異なる、前記第１のデバイスのためのデータ送信周波数範囲を示すために前記第１の送信制御情報を生成することと、
前記示されたデータ送信周波数上で前記第１のデバイスに前記第１のデータを送信することと、
を行わせるさらなる命令を記憶する、Ｃ１５に記載の装置。
［Ｃ１７］  前記電子ハードウェアメモリは、実行されたとき、前記電子ハードウェアプロセッサに、直交周波数分割多元接続（ＯＦＤＭＡ）を使用するマルチユーザ通信を実行するために、前記ワイヤレスフレームを生成させるさらなる命令を記憶する、Ｃ１５に記載の装置。
［Ｃ１８］  前記電子ハードウェアメモリは、実行されたとき、前記電子ハードウェアプロセッサに、
前記第１のデバイスと前記第２のデバイスとのための共通送信制御情報を生成させるさらなる命令を記憶し、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、Ｃ１５に記載の装置。
［Ｃ１９］  前記電子ハードウェアメモリは、実行されたとき、前記電子ハードウェアプロセッサに、第３のワイヤレスデバイスのための送信パラメータを定義するために、前記第１の送信制御情報を生成させるさらなる命令を記憶する、Ｃ１５に記載の装置。
［Ｃ２０］  前記電子ハードウェアメモリは、実行されたとき、前記電子ハードウェアプロセッサに、前記第１の送信制御情報が前記第１の周波数範囲で送信されることを示す第２のワイヤレスフレームを前記第１のデバイスに送信させるさらなる命令を記憶する、Ｃ１５に記載の装置。
［Ｃ２１］  前記電子ハードウェアメモリは、実行されたとき、前記電子ハードウェアプロセッサに、
前記ワイヤレスフレームのプリアンブルのＨＥ−ＳＩＧＢフィールド中に前記第１の送信制御情報を生成することと、
前記ワイヤレスフレームの前記プリアンブルの前記ＨＥ−ＳＩＧＢフィールド中に前記第２の送信制御情報を生成することと、
を行わせるさらなる命令を記憶し、ここにおいて、前記送信することは、前記第１の周波数範囲中に前記第１の送信制御情報、および前記第２の周波数範囲中に前記第２の送信制御情報を含むように、前記ＨＥ−ＳＩＧＢフィールドを送信することを備える、Ｃ１５に記載の装置。
［Ｃ２２］  前記第１の周波数範囲が２０Ｍｈｚ幅であり、前記第２の周波数範囲が２０Ｍｈｚ幅である、Ｃ２１に記載の装置。
［Ｃ２３］  ワイヤレスネットワークからワイヤレスデバイスによってワイヤレスデータを受信するための装置であって、前記装置は、
プリアンブルとデータ部分とを含むワイヤレスフレームを受信するように構成された受信機と、前記プリアンブルは、第１の周波数範囲内に第１の送信制御情報、第２の周波数範囲内に第２の送信制御情報を備え、前記データ部分は、第３の周波数範囲内に第１のデータ、および第４の周波数範囲内に第２のデータを符号化し、
前記装置が前記第１の送信制御情報によって識別されるかどうかを決定するために、前記第１の送信制御情報を復号することと、
前記復号された第１の送信制御情報が前記装置を識別することに応答して、前記第１のデータを復号することと、
を行うように構成されたプロセッサと、
を備える、装置。
［Ｃ２４］  前記プロセッサは、
前記第１の送信制御情報が前記ワイヤレスデバイスを識別しないことに応答して、前記第２の送信制御情報を復号することと、
前記第２の送信制御情報が前記ワイヤレスデバイスを識別することに応答して、前記第２のデータを復号することと、
を行うようにさらに構成された、Ｃ２３に記載の装置。
［Ｃ２５］  前記プロセッサは、
前記第１の送信制御情報の前記復号に基づいて、前記データ部分中の前記ワイヤレスデバイスに宛てられたデータを符号化する周波数範囲を決定することと、
前記第３の周波数範囲が、前記ワイヤレスデバイスに宛てられたデータを符号化すると決定することに応答して、前記第１のデータを復号することと、
を行うようにさらに構成された、Ｃ２３に記載の装置。
［Ｃ２６］  前記第１の送信制御情報は前記第１の周波数範囲内で受信され、前記第２の送信制御情報は前記第２の周波数範囲内で受信され、両方がＨＥ−ＳＩＧＢフィールド内に符号化される、Ｃ２３に記載の装置。
［Ｃ２７］  前記プロセッサは、前記ワイヤレスデバイスに固有の送信制御情報を識別するために、前記ワイヤレスデバイスの識別子に基づいて前記第２の送信制御情報をパースするようにさらに構成された、Ｃ２３に記載の装置。
［Ｃ２８］  前記プロセッサは、４ｘトーンプランを使用して前記第１の送信制御情報を復号するようにさらに構成された、Ｃ２３に記載の装置。
【図１】
0006661658.tif 000002
【図２】
0006661658.tif 000003
【図３】
0006661658.tif 000004
【図４】
0006661658.tif 000005
【図５】
0006661658.tif 000006
【図６Ａ】
0006661658.tif 000007
【図６Ｂ】
0006661658.tif 000008
【図７】
0006661658.tif 000009
【図８Ａ】
0006661658.tif 000010
【図８Ｂ】
0006661658.tif 000011
【図９】
0006661658.tif 000012
【図１０】
0006661658.tif 000013
【図１１】
0006661658.tif 000014
【図１２】
0006661658.tif 000015